(57)【特許請求の範囲】
【請求項１】
アンライセンスバンドに含まれる周波数帯域であって、複数の無線通信システムの間で共用される前記周波数帯域におけるＭＢＳＦＮ（MBMS（Multimedia  Broadcast  Multicast  Service）  over  Single  Frequency  Network）送信のスケジューリング情報を取得し、当該ＭＢＳＦＮ送信のためのＭＢＳＦＮエリアに属する２つ以上の基地局に前記スケジューリング情報を提供する第１制御部、
を備える装置。  
【請求項２】
基地局に前記ＭＢＳＦＮエリアを割り当てる第２制御部をさらに備える、請求項１に記載の装置。  
【請求項３】
前記第２制御部は、前記基地局からの要求に応じて、前記基地局に前記ＭＢＳＦＮエリアを割り当てる、請求項２に記載の装置。  
【請求項４】
前記第２制御部は、前記基地局の位置、前記基地局の周辺セル、又は前記基地局による当該周辺セルについての測定の結果に基づいて、前記基地局に前記ＭＢＳＦＮエリアを割り当てる、請求項２又は３に記載の装置。  
【請求項５】
前記第２制御部は、前記基地局の希望のサービスに基づいて、前記基地局に前記ＭＢＳＦＮエリアを割り当てる、請求項２〜４のいずれか１項に記載の装置。  
【請求項６】
前記第２制御部は、前記基地局が使用可能な周波数帯域に基づいて、前記基地局に前記ＭＢＳＦＮエリアを割り当てる、請求項２〜５のいずれか１項に記載の装置。  
【請求項７】
前記第２制御部は、前記基地局により検出されたＭＢＳＦＮエリア、又は前記基地局によるＭＢＳＦＮエリアについての測定の結果に基づいて、前記基地局に前記ＭＢＳＦＮエリアを割り当てる、請求項２〜６のいずれか１項に記載の装置。  
【請求項８】
前記スケジューリング情報は、ＭＢＳＦＮサブフレームを示す情報、及びＰＭＣＨ（Physical  Multicast  Channel）のコンフィギュレーションを示す情報を含む、請求項１〜７のいずれか１項に記載の装置。  
【請求項９】
前記２つ以上の基地局は、異なるセルラーシステムの基地局を含む、請求項１〜８のいずれか１項に記載の装置。  
【請求項１０】
前記第１制御部は、前記周波数帯域についての無線フレームの同期をとるためのフレーム同期情報を取得し、前記ＭＢＳＦＮエリアに属する基地局に前記フレーム同期情報を提供し、
前記ＭＢＳＦＮエリアには、異なるセルラーシステムの基地局が属する、
請求項１〜９のいずれか１項に記載の装置。  
【請求項１１】
前記フレーム同期情報は、前記周波数帯域についての無線フレームのタイミングを示す情報であり、
前記第１制御部は、前記ＭＢＳＦＮエリアに属する２つ以上の基地局に前記フレーム同期情報を提供する、
請求項１０に記載の装置。  
【請求項１２】
前記第１制御部は、前記２つ以上の基地局の各々とのクロック補正処理を行う、請求項１１に記載の装置。  
【請求項１３】
前記フレーム同期情報は、前記ＭＢＳＦＮエリアに属する２つ以上の基地局のうちの前記同期の基準となる基地局を示す情報である、請求項１０に記載の装置。  
【請求項１４】
基地局へのＭＢＳＦＮエリアの割当てを制御エンティティに要求する第１制御部と、
アンライセンスバンドに含まれる周波数帯域であって、複数の無線通信システムの間で共用される周波数帯域におけるＭＢＳＦＮ送信のためのスケジューリング情報であって、前記制御エンティティにより前記基地局に提供される当該スケジューリング情報を取得し、当該スケジューリング情報に従って、前記基地局による前記周波数帯域における前記ＭＢＳＦＮ送信を制御する第２制御部と、
を備える装置。  
【請求項１５】
前記第１制御部は、前記基地局の位置、前記基地局の周辺セル、前記基地局による当該周辺セルについての測定の結果、前記基地局の希望のサービス、前記基地局が使用可能な周波数帯域、前記基地局により検出されたＭＢＳＦＮエリア、又は前記基地局によるＭＢＳＦＮエリアについての測定の結果を、前記制御エンティティに通知する、請求項１４に記載の装置。  
【請求項１６】
前記第２制御部は、前記基地局が前記周波数帯域を使用しないサブフレームを報知する、請求項１４又は１５に記載の装置。  
【請求項１７】
前記第２制御部は、前記周波数帯域についての無線フレームの同期をとるためのフレーム同期情報であって、前記制御エンティティにより提供される当該フレーム同期情報を取得し、当該フレーム同期情報に基づいて、前記周波数帯域についての無線フレームのタイミングを調整する、請求項１４〜１６のいずれか１項に記載の装置。  
【請求項１８】
前記フレーム同期情報は、前記周波数帯域についての無線フレームのタイミングを示す情報である、請求項１７に記載の装置。  
【請求項１９】
前記第２制御部は、前記制御エンティティとのクロック補正処理の結果にさらに基づいて、前記周波数帯域についての無線フレームの前記タイミングを調整する、請求項１８に記載の装置。  
【請求項２０】
前記第２制御部は、ＧＰＳ（Global  Positioning  System）受信機から得られる時刻情報にさらに基づいて、前記周波数帯域についての無線フレームの前記タイミングを調整する、請求項１８に記載の装置。  
【請求項２１】
前記フレーム同期情報は、前記周波数帯域におけるＭＢＳＦＮ送信のためのＭＢＳＦＮエリアに属する２つ以上の基地局のうちの前記同期の基準となる基地局を示す情報であり、
前記第２制御部は、前記同期の基準となる前記基地局により前記周波数帯域において送信される同期信号を用いて、前記周波数帯域についての無線フレームの前記タイミングを調整する、
請求項１７に記載の装置。  
【請求項２２】
前記周波数帯域についての無線フレームのタイミングは、前記基地局を含むセルラーシステム用の周波数帯域についての無線フレームのタイミングとは異なる、請求項１４〜２１のいずれか１項に記載の装置。  
【請求項２３】
プロセッサにより、
アンライセンスバンドに含まれる周波数帯域であって、複数の無線通信システムの間で共用される前記周波数帯域におけるＭＢＳＦＮ送信のスケジューリング情報を取得することと、
前記ＭＢＳＦＮ送信のためのＭＢＳＦＮエリアに属する２つ以上の基地局に前記スケジューリング情報を提供することと、
を含む方法。  
【請求項２４】
アンライセンスバンドに含まれる周波数帯域であって、複数の無線通信システムの間で共用される前記周波数帯域におけるＭＢＳＦＮ送信のスケジューリング情報を取得することと、
前記ＭＢＳＦＮ送信のためのＭＢＳＦＮエリアに属する２つ以上の基地局に前記スケジューリング情報を提供することと、
をプロセッサに実行させるためのプログラム。  
【請求項２５】
アンライセンスバンドに含まれる周波数帯域であって、複数の無線通信システムの間で共用される前記周波数帯域におけるＭＢＳＦＮ送信のスケジューリング情報を取得することと、
前記ＭＢＳＦＮ送信のためのＭＢＳＦＮエリアに属する２つ以上の基地局に前記スケジューリング情報を提供することと、
をプロセッサに実行させるためのプログラムを記録した読み取り可能な記録媒体。  
【請求項２６】
プロセッサにより、
基地局へのＭＢＳＦＮエリアの割当てを制御エンティティに要求することと、
アンライセンスバンドに含まれる周波数帯域であって、複数の無線通信システムの間で共用される前記周波数帯域におけるＭＢＳＦＮ送信のためのスケジューリング情報であって、前記制御エンティティにより前記基地局に提供される当該スケジューリング情報を取得することと、
前記スケジューリング情報に従って、前記基地局による前記周波数帯域における前記ＭＢＳＦＮ送信を制御することと、
を含む方法。  
【請求項２７】
基地局へのＭＢＳＦＮエリアの割当てを制御エンティティに要求することと、
アンライセンスバンドに含まれる周波数帯域であって、複数の無線通信システムの間で共用される前記周波数帯域におけるＭＢＳＦＮ送信のためのスケジューリング情報であって、前記制御エンティティにより前記基地局に提供される当該スケジューリング情報を取得することと、
前記スケジューリング情報に従って、前記基地局による前記周波数帯域における前記ＭＢＳＦＮ送信を制御することと、
をプロセッサに実行させるためのプログラム。  
【請求項２８】
基地局へのＭＢＳＦＮエリアの割当てを制御エンティティに要求することと、
アンライセンスバンドに含まれる周波数帯域であって、複数の無線通信システムの間で共用される前記周波数帯域におけるＭＢＳＦＮ送信のためのスケジューリング情報であって、前記制御エンティティにより前記基地局に提供される当該スケジューリング情報を取得することと、
前記スケジューリング情報に従って、前記基地局による前記周波数帯域における前記ＭＢＳＦＮ送信を制御することと、
をプロセッサに実行させるためのプログラムを記録した読み取り可能な記録媒体。  
【請求項２９】
複数の無線通信システムの間で共用される周波数帯域についての無線フレームの同期をとるためのフレーム同期情報を取得し、前記周波数帯域におけるＭＢＳＦＮ送信のためのＭＢＳＦＮエリアに属する基地局に前記フレーム同期情報を提供する第１制御部、
を備え、
前記ＭＢＳＦＮエリアには、異なるセルラーシステムの基地局が属する、
装置。  
【請求項３０】
プロセッサにより、
複数の無線通信システムの間で共用される周波数帯域についての無線フレームの同期をとるためのフレーム同期情報を取得することと、
前記周波数帯域におけるＭＢＳＦＮ送信のためのＭＢＳＦＮエリアに属する基地局に前記フレーム同期情報を提供することと、
を含み、
前記ＭＢＳＦＮエリアには、異なるセルラーシステムの基地局が属する、
方法。  
【請求項３１】
複数の無線通信システムの間で共用される周波数帯域についての無線フレームの同期をとるためのフレーム同期情報を取得することと、
前記周波数帯域におけるＭＢＳＦＮ送信のためのＭＢＳＦＮエリアに属する基地局に前記フレーム同期情報を提供することと、
をプロセッサに実行させるためのプログラムであり、
前記ＭＢＳＦＮエリアには、異なるセルラーシステムの基地局が属する、
プログラム。  
【請求項３２】
複数の無線通信システムの間で共用される周波数帯域についての無線フレームの同期をとるためのフレーム同期情報を取得することと、
前記周波数帯域におけるＭＢＳＦＮ送信のためのＭＢＳＦＮエリアに属する基地局に前記フレーム同期情報を提供することと、
をプロセッサに実行させるためのプログラムを記録した読み取り可能な記録媒体であり、
前記ＭＢＳＦＮエリアには、異なるセルラーシステムの基地局が属する、
記録媒体。  
【請求項３３】
複数の無線通信システムの間で共用される周波数帯域についての無線フレームの同期をとるためのフレーム同期情報であって、制御エンティティにより提供される当該フレーム同期情報を取得し、当該フレーム同期情報に基づいて、前記周波数帯域についての無線フレームのタイミングを調整する第２制御部、
を備える装置。  
【請求項３４】
プロセッサにより、
複数の無線通信システムの間で共用される周波数帯域についての無線フレームの同期をとるためのフレーム同期情報であって、制御エンティティにより提供される当該フレーム同期情報を取得することと、
前記フレーム同期情報に基づいて、前記周波数帯域についての無線フレームのタイミングを調整することと、
を含む方法。  
【請求項３５】
複数の無線通信システムの間で共用される周波数帯域についての無線フレームの同期をとるためのフレーム同期情報であって、制御エンティティにより提供される当該フレーム同期情報を取得することと、
前記フレーム同期情報に基づいて、前記周波数帯域についての無線フレームのタイミングを調整することと、
をプロセッサに実行させるためのプログラム。  
【請求項３６】
複数の無線通信システムの間で共用される周波数帯域についての無線フレームの同期をとるためのフレーム同期情報であって、制御エンティティにより提供される当該フレーム同期情報を取得することと、
前記フレーム同期情報に基づいて、前記周波数帯域についての無線フレームのタイミングを調整することと、
をプロセッサに実行させるためのプログラムを記録した読み取り可能な記録媒体。  
【請求項３７】
前記装置は、前記基地局、前記基地局のための基地局装置、又は当該基地局装置のためのモジュールである、請求項１４〜２１のいずれか１項に記載の装置。
【発明の詳細な説明】
【技術分野】
【０００１】
本開示は、装置に関する。
【背景技術】
【０００２】
セルラーネットワークにおいて、放送コンテンツのような同一のコンテンツを複数のユーザに配信する方式として、ＭＢＭＳ（Multicast  Broadcast  Multimedia  Services）が実用化されている。とりわけＬＴＥ（Long  Term  Evolution）では、複数のセルの基地局が互いに同期して同一コンテンツを配信するＭＢＳＦＮ（MBMS  over  Single  Frequency  Network）が規格化されている。ＭＢＳＦＮにより、端末において、複数の基地局からの受信信号が合成され、受信品質が改善され得る。また、近年のトラフィックの増大への対応のため、さらに効率的なＭＢＳＦＮの運用が期待されている。【０００３】
例えば、非特許文献１には、ＭＢＭＳ及びＭＢＳＦＮに関して規格化された技術が開示されている。
【先行技術文献】
【非特許文献】
【０００４】
【非特許文献１】3GPP  TS  36.331  V11.5.0  (2013-09)  LTE;  Evolved  Universal  Terrestrial  Radio  Access  (E-UTRA);  Radio  Resource  Control  (RRC);  Protocol  Specification
【発明の概要】
【発明が解決しようとする課題】
【０００５】
セルラーシステムでのトラフィックの急増により、周波数帯域（frequency  band）の枯渇が懸念されている。そのため、アンライセンスバンド（unlicensed  band）をセルラーシステムにおいて使用することが検討されている。例えば、当該アンライセンスバンドは、無線ＬＡＮ（Local  Area  Network）などで使用される５ＧＨｚ帯、又は６０ＧＨｚ帯などである。一例として、５ＧＨｚ帯の一部の周波数帯域（例えば、無線ＬＡＮのチャネル）が、セルラーシステムにおいてスモールセルのためのダウンリンクコンポーネントキャリアとして使用されることが、想定される。アンライセンスバンドに含まれる周波数帯域がセルラーシステムにおいて使用される場合、当該周波数帯域は、複数の無線通信システムの間で共用される周波数帯域であると言える。【０００６】
しかし、セルラーシステムの各基地局が、アンライセンスバンドに含まれる周波数帯域を独自に使用すると、当該周波数帯域におけるＭＢＳＦＮ送信を行うことができない。即ち、上記周波数帯域を使用してＭＢＳＦＮのサービスを提供することができない。【０００７】
そこで、複数の無線通信システムの間で共用される周波数帯域を使用してＭＢＳＦＮのサービスを提供することを可能にする仕組みが提供されることが望ましい。
【課題を解決するための手段】
【０００８】
本開示によれば、複数の無線通信システムの間で共用される周波数帯域におけるＭＢＳＦＮ送信のスケジューリング情報を取得し、当該ＭＢＳＦＮ送信のためのＭＢＳＦＮエリアに属する２つ以上の基地局に上記スケジューリング情報を提供する第１制御部、を備える装置が提供される。【０００９】
また、本開示によれば、基地局へのＭＢＳＦＮエリアの割当てを制御エンティティに要求する第１制御部と、複数の無線通信システムの間で共用される周波数帯域におけるＭＢＳＦＮ送信のためのスケジューリング情報であって、上記制御エンティティにより上記基地局に提供される当該スケジューリング情報を取得し、当該スケジューリング情報に従って、上記基地局による上記周波数帯域における上記ＭＢＳＦＮ送信を制御する第２制御部と、を備える装置が提供される。
【発明の効果】
【００１０】
以上説明したように本開示によれば、複数の無線通信システムの間で共用される周波数帯域を使用してＭＢＳＦＮのサービスを提供することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】ＭＢＳＦＮエリアの例を説明するための説明図である。
【図２】ＭＢＭＳのためのチャネルを説明するための説明図である。
【図３】ＭＢＳＦＮサブフレームの例を説明するための説明図である。
【図４】ＭＢＳＦＮサブフレームで送信される信号の例を説明するための説明図である。
【図５】通常のサブフレーム内で送信されるＣＲＳの例を説明するための説明図である。
【図６】ＭＣＣＨが配置されるサブフレームの例を説明するための説明図である。
【図７】ＭＢＳＦＮサブフレームの例を説明するための説明図である。
【図８】ＰＭＣＨ及びＰＭＣＨにマッピングされるＭＴＣＨの例を説明するための説明図である
【図９】ＭＢＳＦＮをサポートするＬＴＥネットワークの構成の一例を説明するための説明図である。
【図１０】本開示の実施形態に係るシステムの概略的な構成の一例を示す説明図である。
【図１１】同実施形態に係るシステムの概略的な構成のさらに具体的な一例を示す説明図である。
【図１２】基地局により使用される周波数帯域の例を説明するための説明図である。
【図１３】同実施形態に係る制御エンティティの構成の一例を示すブロック図である。
【図１４】同実施形態に係る基地局の構成の一例を示すブロック図である。
【図１５】第１の実施形態に係る処理の概略的な流れの一例を示すシーケンス図である。
【図１６】基地局によるフレームタイミングの調整の例を説明するための説明図である。
【図１７】クロックの例を説明するための説明図である。
【図１８】クロック補正処理の例を説明するための説明図である。
【図１９】基地局によるフレームタイミングの調整のさらなる例を説明するための説明図である。
【図２０】クロックの２つのオフセットを説明するための説明図である。
【図２１】共用帯域において送信されるダウンリンクデータについてのＡＣＫ／ＮＡＣＫの送信の一例を説明するための説明図である。
【図２２】、第２の実施形態に係る処理の概略的な流れの一例を示すシーケンス図である。
【図２３】サーバの概略的な構成の一例を示すブロック図である。
【図２４】ｅＮＢの概略的な構成の第１の例を示すブロック図である。
【図２５】ｅＮＢの概略的な構成の第２の例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて基地局２００Ａ及び基地局２００Ｂのように区別する。ただし、実質的に同一の機能構成を有する複数の要素の各々を特に区別する必要がない場合、同一符号のみを付する。例えば、基地局２００Ａ及び基地局２００Ｂを特に区別する必要が無い場合には、単に基地局２００と称する。
【００１４】
なお、説明は以下の順序で行うものとする。
１．はじめに
２．システムの概略的な構成
３．各装置の構成
３．１．制御エンティティの構成
３．２．基地局の構成
４．第１の実施形態
４．１．概略
４．２．第１の実施形態に係る技術的特徴
４．３．処理の流れ
５．第２の実施形態
５．１．概略
５．２．第２の実施形態に係る技術的特徴
５．３．処理の流れ
６．応用例
６．１．制御エンティティに関する応用例
６．２．基地局に関する応用例
７．まとめ
【００１５】
＜＜１．はじめに＞＞
まず、図１〜図９を参照して、ＭＢＳＦＮに関する技術を説明する。
【００１６】
（１）ＭＢＳＦＮエリア
ＭＢＳＦＮでは、複数の基地局が、互いに同期して同一のコンテンツを配信する。即ち、ＭＢＳＦＮでは、複数の基地局が、同一の無線リソースで同一のデータを送信する。当該複数の基地局のセル（即ち、複数のセル）は、ＭＢＳＦＮエリアと呼ばれる。各セルは、最大８個のＭＢＳＦＮエリアに属することができる。以下、図１を参照して、ＭＢＳＦＮエリアの具体例を説明する。
【００１７】
図１は、ＭＢＳＦＮエリアの例を説明するための説明図である。図１を参照すると、＃１〜＃１５のセルが示されている。この例では、ＭＢＳＦＮエリア０は＃１〜＃３、＃５〜＃８のセルを含み、ＭＢＳＦＮエリア１は＃７、＃９、＃１０、＃１３のセルを含み、ＭＢＳＦＮエリア２５５は＃８、＃９、＃１１〜＃１５のセルを含む。なお、＃７のセルは、ＭＢＳＦＮエリア０及びＭＢＳＦＮエリア１の両方に属する。また、＃８のセルは、ＭＢＳＦＮエリア０及びＭＢＳＦＮエリア２５５の両方に属する。また、＃９のセルは、ＭＢＳＦＮエリア１及びＭＢＳＦＮエリア２５５の両方に属する。また、＃４のセルは、いずれのＭＢＳＦＮエリアにも属さない。
【００１８】
（２）ＭＢＭＳに関するチャネル
ＭＢＭＳのための論理チャネル、トランスポートチャネル及び物理チャネルが定められている。以下、この点について図２を参照して説明する。
【００１９】
図２は、ＭＢＭＳのためのチャネルを説明するための説明図である。図２を参照すると、ＬＴＥにおいて定められている論理チャネル、トランスポートチャネル及び物理チャネルが示されている。とりわけ、ＭＢＭＳのための論理チャネルとして、ＭＣＣＨ（Multicast  Control  Channel）及びＭＴＣＨ（Multicast  Traffic  Channel）が定められている。ＭＣＣＨは、ＭＢＳＦＮエリアコンフィギュレーションメッセージ（MBSFN  Area  Configuration  message）及びＭＢＭＳカウンティング要求メッセージ（MBM  Counting  Request  messega）などの制御情報を送信するためのチャネルである。また、ＭＴＣＨは、ＭＢＭＳのデータを送信するためのチャネルである。また、ＭＢＭＳのための物理チャネルとして、ＰＭＣＨ（Physical  Multicast  Channel）が定められている。ＭＣＣＨにマッピングされる制御情報及びＭＴＣＨにマッピングされるデータの両方が、トランスポートチャネルであるＭＣＨ（Multicast  Channel）を通じてＰＭＣＨにマッピングされる。
【００２０】
（３）ＭＢＳＦＮサブフレーム
ＭＢＳＦＮの送信は、ＭＢＳＦＮサブフレームで行われる。ＭＢＳＦＮサブフレームは、無線フレーム割当て期間（Radio  Frame  Allocation  Period）、無線フレーム割当てオフセット（Radio  Frame  Allocation  Offset）、及びサブフレーム割当て（Subframe  Allocation）により示される。以下、図３を参照して、ＭＢＳＦＮサブフレームの具体例を説明する。
【００２１】
図３は、ＭＢＳＦＮサブフレームの例を説明するための説明図である。図３を参照すると、各ＳＦＮ（System  Frame  Number）の無線フレームに含まれるサブフレームが示されている。この例では、無線フレーム割当て期間は８であり、無線フレーム割当てオフセットは２である。また、サブフレーム割当ては、４フレームパターン（２４ビット）である。そのため、「ＳＦＮ  ｍｏｄ  ８  ＝２」を満たすＳＦＮ（即ち、２、１０、１８などのＳＦＮ）の無線フレームと、その後に続く３つの無線フレームとが、ＭＢＳＦＮのための無線フレームである。また、この例では、ＦＤＤ（Frequency  Division  Duplexing）が採用され、サブフレーム割当ては、「０１１０１０  ０１１０１０  ０１１０１０  ０１１０１０」である。ＦＤＤが採用される場合には、サブフレーム割当ての各ビットは、＃１、＃２、＃３、＃６、＃７及び＃８のサブフレームを示すので、上記無線フレームのうちの＃２、＃３及び＃７のサブフレームが、ＭＢＳＦＮサブフレームである。
【００２２】
システム情報及びページング情報が送信されるサブフレームは、ＭＢＳＦＮサブフレームとして使用されない。よって、ＦＤＤが採用される場合には、＃０、＃４、＃５及び＃９のサブフレームは、ＭＢＳＦＮサブフレームとして使用されない。また、ＴＤＤ（Time  Division  Duplexing）が採用される場合には、＃０、＃１、＃２、＃５及び＃６のサブフレームは、ＭＢＳＦＮサブフレームとして使用されない。
【００２３】
なお、ＭＢＳＦＮサブフレームは、例えば、ＳＩＢ（System  Information  Block）２の中で端末装置に通知される。これにより、端末装置は、ＭＢＳＦＮエリアを知ることができる。また、ＭＢＳＦＮエリアごとのＭＢＳＦＮサブフレームは、後述するように、ＭＣＣＨにマッピングされる制御情報（ＭＢＳＦＮエリアコンフィギュレーションメッセージ）の中でも端末装置に通知される。
【００２４】
（４）リファレンス信号
ＭＢＳＦＮサブフレームは、ＭＢＳＦＮ領域（MBSFN  Region）及び非ＭＢＳＦＮ領域（Non-MBSFN  Region）を含む。ＰＭＣＨは、ＭＢＳＦＮ領域に配置されるので、ＭＣＣＨにマッピングされる制御情報及びＭＴＣＨにマッピングされるデータは、とりわけＭＢＳＦＮ領域内で送信される。
【００２５】
また、ＭＢＳＦＮエリアに属するセルの基地局は、ＭＢＳＦＮサブフレームのうちのとりわけＭＢＳＦＮ領域内で、同一の信号を送信する。そのため、これらの基地局は、ＭＢＳＦＮ領域内ではセル固有のリファレンス信号（Cell-specific  Reference  Signal：ＣＲＳ）を送信しない。その代わりに、これらの基地局は、ＭＢＳＦＮ用のリファレンス信号であるＭＢＳＦＮリファレンス信号（ＭＢＳＦＮ−ＲＳ）を送信する。ＭＢＳＦＮ−ＲＳは、ＭＢＳＦＮエリアに属する全てのセルにおいて、同一の無線リソース（即ち、同一のリソースエレメント）で送信される。以下、これらの点について図４を参照して具体例を説明する。
【００２６】
図４は、ＭＢＳＦＮサブフレームで送信される信号の例を説明するための説明図である。図４を参照すると、ＭＢＳＦＮサブフレーム内で時間方向に並ぶ２つのリソースブロック（ＲＢ）が示されている。この例では、ＭＢＳＦＮサブフレームは、時間方向において１２個のＯＦＤＭシンボルを含む。また、ＭＢＳＦＮサブフレームは、１２個のＯＦＤＭシンボルのうちの最初の２つのＯＦＤＭシンボルにわたる非ＭＢＳＦＮ領域と、その後に続くＭＢＳＦＮ領域とを含む。非ＭＢＳＦＮ領域では、ＣＲＳが送信され得る。一方、ＭＢＳＦＮ領域では、ＭＢＳＦＮエリアに属するセル間で共通のＭＢＳＦＮ−ＲＳが送信される。また、ＭＢＳＦＮ領域では、ＭＣＣＨにマッピングされる制御情報及び／又はＭＴＣＨにマッピングされるデータが送信される。
【００２７】
なお、ＭＢＳＦＮサブフレーム以外のサブフレームでは、ＣＲＳが送信される。当該ＣＲＳは、セルの選択、チャネル推定及び同期検波などのために使用される。以下、図５を参照して、ＣＲＳの具体例を説明する。
【００２８】
図５は、通常のサブフレーム内で送信されるＣＲＳの例を説明するための説明図である。図５を参照すると、通常のサブフレーム内で時間方向に並ぶ２つのリソースブロック（ＲＢ）が示されている。通常のサブフレームは、時間方向において１４個のＯＦＤＭシンボルを含む。ＣＲＳは、各ＲＢ内の所定のリソースエレメント（ＲＥ）で送信される。なお、上記所定のＲＥは、セルごとに設定される。
【００２９】
（５）ＭＣＣＨ、ＭＴＣＨ及びＰＭＣＨ
（ａ）ＭＢＳＦＮエリアとＭＣＣＨとの関係
１つのＭＣＣＨは、１つのＭＢＳＦＮエリアに対応する。即ち、ＭＣＣＨは、セルが属するＭＢＳＦＮエリアごとに存在する。
【００３０】
（ｂ）ＳＩＢ１３
ＳＩＢ１３は、ＭＣＣＨが配置されるサブフレームなどを示し、端末装置に通知される。より具体的には、ＳＩＢ１３は、ＭＣＣＨ反復期間（MCCH  Repetition  Period）、ＭＣＣＨオフセット及びサブフレーム割当て情報（Subframe  Allocation  Information）などを含む。以下、図６を参照して、ＭＣＣＨが配置されるサブフレームの具体例を説明する。
【００３１】
図６は、ＭＣＣＨが配置されるサブフレームの例を説明するための説明図である。図６を参照すると、各ＳＦＮ（System  Frame  Number）の無線フレームに含まれるサブフレームが示されている。この例のＭＢＳＦＮサブフレームは、図３に示されるＭＢＳＦＮサブフレームと同一である。この例では、ＭＣＣＨ反復期間は３２であり、ＭＣＣＨオフセットは５である。そのため、「ＳＦＮ  ｍｏｄ  ３２  ＝５」を満たすＳＦＮ（即ち、５、３７などのＳＦＮ）の無線フレームが、ＭＣＣＨが配置される無線フレームである。さらに、この例では、サブフレーム割当て情報が、「０１００００」である。ＦＤＤが採用される場合には、サブフレーム割当ての各ビットは、＃１、＃２、＃３、＃６、＃７及び＃８のサブフレームを示すので、上記無線フレームのうちの＃２のサブフレームが、ＭＣＣＨが配置されるサブフレームである。このように、ＭＣＣＨは、ＭＢＳＦＮサブフレームの中に定期的に配置される。
【００３２】
なお、ＭＣＣＨ及びＭＴＣＨはＭＡＣ（Media  Access  Control）レイヤで多重されるが、端末装置はＭＡＣヘッダの多重情報によりＭＣＣＨ及びＭＴＣＨを復調できる。
【００３３】
（ｃ）ＭＢＳＦＮエリアコンフィギュレーションメッセージ
ＭＣＣＨには、ＭＢＳＦＮエリアコンフィギュレーションメッセージがマッピングされる。
【００３４】
（ｃ−１）共通サブフレーム割当て（ＣＳＡ）
まず、ＭＢＳＦＮエリアコンフィギュレーションメッセージは、共通サブフレーム割当て（Common  Subframe  Allocation：ＣＳＡ）パターンリスト、及びＣＳＡ期間を含み、これらの情報は、ＭＢＳＦＮエリアのＭＢＳＦＮサブフレームを示す。ＣＳＡパターンリストは、無線フレーム割当て期間、無線フレーム割当てオフセット及びサブフレーム割当てを含む。以下、図７を参照して、これらの情報により示されるＭＢＳＦＮサブフレームの具体例を説明する。
【００３５】
図７は、ＭＢＳＦＮサブフレームの例を説明するための説明図である。図７を参照すると、ＣＳＡ期間にわたる無線フレームが示されている。この例では、ＣＳＡ期間は、３２無線フレームである。また、この例では、ＣＳＡパターンリストは、エントリ１及びエントリ２を含む。エントリ１では、無線フレーム割当て期間が１６であり、無線フレーム割当てオフセットが０であり、サブフレーム割当てが１フレームパターン（６ビット）の「１００１００」である。よって、エントリ１のＭＢＳＦＮサブフレームは、ＳＦＮが０及び１６である２つの無線フレームの中の、＃１及び＃６のサブフレームである。エントリ２では、無線フレーム割当て期間が４であり、無線フレーム割当てオフセットが３であり、サブフレーム割当てが１フレームパターン（６ビット）の「００１００１」である。よって、エントリ２のＭＢＳＦＮサブフレームは、ＳＦＮが３、７、１１、１５、１９、２３、２７及び３１である８つの無線フレームの中の、＃３及び＃８のサブフレームである。よって、この例では、ＭＢＳＦＮサブフレームとして、ＣＳＡ期間の中の合計２０個のサブフレームが示される。
【００３６】
（ｃ−２）ＰＭＣＨ情報
さらに、ＭＢＳＦＮエリアコンフィギュレーションメッセージは、ＰＭＣＨ情報リストを含み、当該ＰＭＣＨ情報リストは、各ＰＭＣＨが配置されるＭＢＳＦＮサブフレーム、及び各ＰＭＣＨにマッピングされる１つ以上のＭＴＣＨを示す。また、ＰＭＣＨの中の最初のサブフレームでは、当該ＰＭＣＨにマッピングされるＭＴＣＨのスケジューリング情報であるＭＳＩ（MCH  Scheduling  Information）が送信され、ＰＭＣＨ情報リストは、当該ＭＳＩの送信の周期も示す。当該周期は、ＭＣＨスケジューリング期間（MCH  Scheduling  Period：ＭＳＰ）と呼ばれる。以下、図８を参照して、ＰＭＣＨ及びＰＭＣＨにマッピングされるＭＴＣＨの例を説明する。
【００３７】
図８は、ＰＭＣＨ及びＰＭＣＨにマッピングされるＭＴＣＨの例を説明するための説明図である。図８を参照すると、図７を参照して説明した２０個のＭＢＳＦＮサブフレームの４つのセットが示されている。即ち、４つのＣＳＡ期間（即ち、ＣＳＡ期間１〜４）にわたる８０個のＭＢＳＦＮサブフレームが示されている。この例では、ＣＳＡ期間（３２無線フレーム）内の２０個のＭＢＳＦＮサブフレームのうちの、１番目のサブフレームから７番目のサブフレームまでが、ＰＭＣＨ１に割り当てられている。また、８番目のサブフレームから１１番目のサブフレームまでが、ＰＭＣＨ２に、１２番目のサブフレームから１５番目のサブフレームまでが、ＰＭＣＨ３に、１６番目のサブフレームから２０番目のサブフレームまでが、ＰＭＣＨ４に、割り当てられている。また、ＰＭＣＨ１には、論理チャネル１及び２（即ち、ＭＴＣＨ１及び２）がマッピングされる。また、ＰＭＣＨ２には論理チャネル３（即ち、ＭＴＣＨ３）がマッピングされ、ＰＭＣＨ３には論理チャネル４（即ち、ＭＴＣＨ４）がマッピングされ、ＰＭＣＨ４には論理チャネル５（即ち、ＭＴＣＨ５）がマッピングされる。ＰＭＣＨ１に注目すると、ＰＭＣＨ１のＭＳＰは６４無線フレームであり、ＰＭＣＨ１では２つのＣＳＡ期間ごとにＭＳＩが送信される。ＣＳＡ期間１及び２では、ＰＭＣＨ１に割り当てられたＭＢＳＦＮサブフレームのうちの、１番目のサブフレームから９番目までのサブフレームに、論理チャネル１（即ち、ＭＴＣＨ１）が配置される。また、１０番目から１３番目のサブフレームに、論理チャネル２（即ち、ＭＴＣＨ２）が配置される。１４番目のサブフレームには、いずれの論理チャネル（ＭＴＣＨ）も配置されない。また、ＣＳＡ期間３及び４では、ＰＭＣＨ１に割り当てられたＭＢＳＦＮサブフレームのうちの、１番目のサブフレームから８番目までのサブフレームに、論理チャネル１が配置される。また、９番目から１２番目のサブフレームに、論理チャネル２が配置される。なお、１３番目のサブフレーム及び１４番目のサブフレームには、いずれの論理チャネル（ＭＴＣＨ）も配置されない。なお、図８に示されるように、ＭＢＳＦＮサブフレームには、ＭＣＣＨも配置される。
【００３８】
（６）ＭＢＳＦＮのためのシステム構成
図９を参照して、ＭＢＳＦＮをサポートするＬＴＥネットワークの構成の例を説明する。図９は、ＭＢＳＦＮをサポートするＬＴＥネットワークの構成の一例を説明するための説明図である。図９を参照すると、ＬＴＥネットワークは、ＭＣＥ（Multi-cell/Multicast  Coordination  Entity）、ＢＭ−ＳＣ（Broadcast/Multicast  Service  Center）、ＭＢＭＳ  ＧＷ（gateway）及びＭＭＥ（Mobility  Management  Entity）などを含む。これらのノードは、論理ノードである。ＭＣＥは、ＭＢＳＮＦエリアに属するセルのｅＮＢ（evolved  Node  B）に、同一の無線リソースで同一のデータを送信させる。具体的には、例えば、ＭＣＥは、ＭＢＳＮＦエリア内のＭＢＳＮＦに関するスケジューリングを行う。ＢＭ−ＳＣは、コンテンツプロバイダの認証、課金、及びコアネットワーク内のデータフロー制御などを行う。ＭＢＭＳ−ＧＷは、ＢＭ−ＳＣからｅＮＢまでのマルチキャストＩＰパケットの転送、及びＭＭＥ経由のセッション制御信号の処理などを行う。ＭＭＥは、ＮＡＳ（Non-Access  Stratum）信号の処理を行う。
【００３９】
なお、１つのＭＣＥが複数のｅＮＢに対応する例を説明したが、ＭＣＥは係る例に限定されない。例えば、各ｅＮＢがＭＣＥを備えてもよい。
【００４０】
＜＜２．システムの概略的な構成＞＞
続いて、図１０〜図１２を参照して、本開示の実施形態に係るシステム１の概略的な構成を説明する。図１０は、本開示の実施形態に係るシステム１の概略的な構成の一例を示す説明図である。図１０を参照すると、システム１は、制御エンティティ１００、基地局２００及び端末装置３０を含む。
【００４１】
（１）制御エンティティ１００
（ａ）動作
制御エンティティ１００は、ＭＢＳＦＮのための制御を行う。
【００４２】
例えば、制御エンティティ１００は、ＭＣＥ（Multi-call/multicast  Coordination  Entity）として動作する。具体的には、例えば、制御エンティティ１００は、ＭＢＭＳセッション開始手続きを行う。また、例えば、制御エンティティ１００は、ＭＢＭＳスケジューリング情報を基地局（例えば、基地局２００）に提供する。
【００４３】
なお、制御エンティティ１００は、ＭＢＭＳゲートウェイ（ＭＢＭＳ−ＧＷ）としてさらに動作してもよい。具体的には、制御エンティティ１００は、提供されるコンテンツを受信し、ＭＢＳＦＮエリアに属する基地局に当該コンテンツを配信してもよい。あるいは、制御エンティティ１００とは異なる他の装置が、ＭＢＭＳ−ＧＷとして動作してもよい。
【００４４】
（ｂ）周波数帯域
とりわけ本開示の実施形態では、制御エンティティ１００は、複数の無線通信システムにより共用される周波数帯域（以下、「共用帯域（shared  band）」と呼ぶ）におけるＭＢＳＦＮのための制御を行う。当該共用帯域は、セルラーシステムにおいてコンポーネントキャリア（Component  Carrier：ＣＣ）として使用される。
【００４５】
制御エンティティ１００は、セルラーシステム用の周波数帯域（a  frequency  band  for  a  cellular  system）（以下、「セルラー帯域（cellular  band）」と呼ぶ）におけるＭＢＳＦＮのための制御をさらに行ってもよい。例えば、当該セルラー帯域は、セルラーシステムのＣＣである。
【００４６】
なお、上記共用帯域は、換言すると、アンライセンスバンド（unlicensed  band）に含まれる周波数帯域である。そのため、例えば、上記共用帯域は、アンライセンスバンドのＣＣであり、Ｕ−ＣＣと呼ばれ得る。また、上記セルラー帯域は、換言すると、ライセンスバンド（licensed  band）に含まれる周波数帯域である。そのため、例えば、上記セルラー帯域は、ライセンスバンドのＣＣであり、Ｌ−ＣＣと呼ばれ得る。
【００４７】
（２）基地局２００
基地局２００は、セルラーシステムの基地局である。一例として、当該セルラーシステムは、ＬＴＥ、ＬＴＥ−Ａｄｖａｎｃｅｄ、又はこれらに準ずる通信規格に準拠したシステムである。
【００４８】
基地局２００は、端末装置（例えば、端末装置３０）との無線通信を行う。例えば、基地局２００は、基地局２００のセル２０内に位置する端末装置との無線通信を行う。例えば、基地局２００は、上記セルラー帯域を使用して端末装置との無線通信を行う。さらに、例えば、基地局２００は、上記共用帯域を使用して端末装置との無線通信を行う。
【００４９】
とりわけ本開示の実施形態では、基地局２００は、ＭＢＳＦＮをサポートし、ＭＢＳＦＮ送信を行う。とりわけ、基地局２００は、上記共用帯域におけるＭＢＳＦＮ送信を行う。なお、基地局２００は、上記セルラー帯域におけるＭＢＳＦＮ送信をさらに行ってもよい。
【００５０】
（３）端末装置３０
端末装置３０は、基地局（例えば、基地局２００）との無線通信を行う。例えば、端末装置３０は、上記セルラー帯域及び／又は上記共用帯域を使用して、基地局との無線通信を行う。
【００５１】
（４）システムの具体例
図１１及び図１２を参照して、システム１のさらに具体的な例を説明する。図１１は、本開示の実施形態に係るシステム１の概略的な構成のさらに具体的な一例を示す説明図である。図１１を参照すると、制御エンティティ１００、基地局２００及び端末装置３０に加えて、基地局５０、コアネットワーク６０及びインターネット７０が示されている。
【００５２】
（ａ）マクロセル及びスモールセル
例えば、基地局２００は、スモールセルの基地局であり、基地局５０は、マクロセルの基地局である。即ち、セル２０は、スモールセルであり、セル５１は、マクロセルである。基地局５０は、コアネットワーク６０に接続されている。
【００５３】
一例として、基地局２００は、フェムトセルの基地局である。また、基地局２００は、インターネット７０に接続されている。
【００５４】
（ｂ）セルラーシステム
（ｂ−１）異なるセルラーシステム
例えば、基地局２００Ａ及び基地局５０Ａは、第１のセルラーシステムの基地局であり、コアネットワーク６０Ａは、当該第１のセルラーシステムのコアネットワークである。例えば、基地局２００Ｂ及び基地局５０Ｂは、第２のセルラーシステムの基地局であり、コアネットワーク６０Ｂは、当該第２のセルラーシステムのコアネットワークである。即ち、基地局２００Ａ及び基地局２００Ｂは、異なるセルラーシステムの基地局である。
【００５５】
一例として、上記第１のセルラーシステム及び上記第２のセルラーシステムの各々は、ＬＴＥ、ＬＴＥ−Ａｄｖａｎｃｅｄ、又はこれらに準ずる通信規格に準拠したシステムである。
【００５６】
（ｂ−２）異なるオペレータ
例えば、上記第１のセルラーシステムは、第１のオペレータのシステムであり、上記第２のセルラーシステムは、上記第１のオペレータとは異なる第２のオペレータのシステムである。即ち、基地局２００Ａ及び基地局２００Ｂは、異なるオペレータの基地局である。
【００５７】
一例として、上記第１のオペレータ及び上記第２のオペレータの各々は、ＭＮＯ（Mobile  Network  Operator）である。
【００５８】
（ｃ）周波数帯域
例えば、基地局２００Ａ及び基地局５０Ａの各々は、上記第１のセルラーシステム用の周波数帯域を使用し、例えば、基地局２００Ｂ及び基地局５０Ｂの各々は、上記第２のセルラーシステム用の周波数帯域を使用する。例えば、基地局２００Ａ及び基地局２００Ｂの各々は、共用帯域をさらに使用する。以下、この点について図１２を参照して具体例を説明する。
【００５９】
図１２は、基地局により使用される周波数帯域の例を説明するための説明図である。図１２を参照すると、５つの周波数帯域Ｆ１〜Ｆ５が示されている。周波数帯域Ｆ１〜Ｆ４の各々は、ライセンスバンドに含まれる周波数帯域（即ち、セルラー帯域）であり、周波数帯域Ｆ５は、アンライセンスバンドに含まれる周波数帯域（即ち、共用帯域）である。周波数帯域Ｆ１及び周波数帯域Ｆ３は、上記第１のセルラーシステム用の周波数帯域であり、基地局５０Ａが、周波数帯域Ｆ１を使用し、基地局２００Ａが、周波数帯域Ｆ３を使用する。周波数帯域Ｆ２及び周波数帯域Ｆ４は、上記第２のセルラーシステム用の周波数帯域であり、基地局５０Ｂが、周波数帯域Ｆ２を使用し、基地局２００Ｂが、周波数帯域Ｆ４を使用する。さらに、基地局２００Ａ及び基地局２００Ｂは、周波数帯域Ｆ５を使用する。
【００６０】
（ｄ）ＭＢＳＦＮエリア
例えば、基地局２００Ａ及び基地局２００Ｂは、上記共用帯域におけるＭＢＳＦＮ送信のためのＭＢＳＦＮエリア４０に属する。
【００６１】
＜＜３．各装置の構成＞＞
続いて、図１３及び図１４を参照して、本開示の実施形態に係る制御エンティティ１００及び基地局２００の構成の例を説明する。
【００６２】
＜３．１．制御エンティティの構成＞
まず、図１３を参照して、本開示の実施形態に係る制御エンティティ１００の構成の一例を説明する。図１３は、本開示の実施形態に係る制御エンティティ１００の構成の一例を示すブロック図である。図１３を参照すると、制御エンティティ１００は、通信部１１０、記憶部１２０及び処理部１３０を備える。
【００６３】
（１）通信部１１０
通信部１１０は、情報を送受信する。例えば、通信部１１０は、他のノードへの情報を送信し、他のノードからの情報を受信する。例えば、上記他のノードは、基地局２００を含む。
【００６４】
（２）記憶部１２０
記憶部１２０は、制御エンティティ１００の動作のためのプログラム及びデータを一時的に又は恒久的に記憶する。
【００６５】
（３）処理部１３０
処理部１３０は、制御エンティティ１００の様々な機能を提供する。処理部１３０は、第１制御部１３１及び第２制御部１３３を含む。なお、処理部１３０は、これらの構成要素以外の他の構成要素をさらに含み得る。即ち、処理部１３０は、これらの構成要素の動作以外の動作も行い得る。
【００６６】
第１制御部１３１及び第２制御部１３３の動作は、各実施形態において具体的に説明する。
【００６７】
＜３．２．基地局の構成＞
次に、図１４を参照して、本開示の実施形態に係る基地局２００の構成の一例を説明する。図１４は、本開示の実施形態に係る基地局２００の構成の一例を示すブロック図である。図１４を参照すると、基地局２００は、アンテナ部２１０、無線通信部２２０、ネットワーク通信部２３０、記憶部２４０及び処理部２５０を備える。
【００６８】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００６９】
（２）無線通信部２２０
無線通信部２２０は、信号を送受信する。例えば、無線通信部２２０は、セル２０内に位置する端末装置へのダウンリンク信号を送信し、セル２０内に位置する端末装置からのアップリンク信号を受信する。
【００７０】
（３）ネットワーク通信部２３０
ネットワーク通信部２３０は、情報を送受信する。例えば、ネットワーク通信部２３０は、他のノードへの情報を送信し、他のノードからの情報を受信する。例えば、上記他のノードは、制御エンティティ１００を含む。
【００７１】
（４）記憶部２４０
記憶部２４０は、基地局２００の動作のためのプログラム及びデータを一時的に又は恒久的に記憶する。
【００７２】
（５）処理部２５０
処理部２５０は、基地局２００の様々な機能を提供する。処理部２５０は、第１制御部２５１及び第２制御部２５３を含む。なお、処理部２５０は、これらの構成要素以外の他の構成要素をさらに含み得る。即ち、処理部２５０は、これらの構成要素の動作以外の動作も行い得る。
【００７３】
＜＜４．第１の実施形態＞＞
続いて、図１５を参照して、本開示の第１の実施形態を説明する。
【００７４】
＜４．１．概略＞
（１）技術的課題
セルラーシステムでのトラフィックの急増により、周波数帯域の枯渇が懸念されている。そのため、アンライセンスバンドをセルラーシステムにおいて使用することが検討されている。例えば、当該アンライセンスバンドは、無線ＬＡＮなどで使用される５ＧＨｚ帯、又は６０ＧＨｚ帯などである。一例として、５ＧＨｚ帯の一部の周波数帯域（例えば、無線ＬＡＮのチャネル）が、セルラーシステムにおいてスモールセルのためのダウンリンクコンポーネントキャリアとして使用されることが、想定される。アンライセンスバンドに含まれる周波数帯域がセルラーシステムにおいて使用される場合、当該周波数帯域は、複数の無線通信システムの間で共用される周波数帯域であると言える。
【００７５】
しかし、セルラーシステムの各基地局が、アンライセンスバンドに含まれる周波数帯域を独自に使用すると、当該周波数帯域におけるＭＢＳＦＮ送信を行うことができない。即ち、上記周波数帯域を使用してＭＢＳＦＮのサービスを提供することができない。
【００７６】
そこで、複数の無線通信システムの間で共用される周波数帯域を使用してＭＢＳＦＮのサービスを提供することを可能にする仕組みが提供されることが望ましい。
【００７７】
（２）技術的手段
第１の実施形態では、制御エンティティ１００は、複数の無線通信システムの間で共用される周波数帯域におけるＭＢＳＦＮ送信のスケジューリング情報を、当該ＭＢＳＦＮ送信のためのＭＢＳＦＮエリアに属する２つ以上の基地局２００に提供する。
【００７８】
これにより、例えば、複数の無線通信システムの間で共用される上記周波数帯域を使用してＭＢＳＦＮのサービスを提供することが可能になる。
【００７９】
＜４．２．第１の実施形態に係る技術的特徴＞
次に、第１の実施形態に係る技術的特徴を説明する。
【００８０】
（１）ＭＢＳＦＮスケジューリング情報の提供
制御エンティティ１００は、複数の無線通信システムの間で共用される周波数帯域（即ち、共用帯域）におけるＭＢＳＦＮ送信のスケジューリング情報を、当該ＭＢＳＦＮ送信のためのＭＢＳＦＮエリアに属する２つ以上の基地局２００に提供する。
【００８１】
第１制御部１３１は、上記スケジューリング情報を取得し、上記２つ以上の基地局２００に上記スケジューリング情報を提供する。
【００８２】
なお、上記ＭＢＳＦＮエリアに１つの基地局２００のみが属する場合には、制御エンティティ１００（第１制御部１３１）は、当該１つの基地局２００に上記スケジューリング情報を提供してもよい。
【００８３】
（ａ）共用帯域
上記共用帯域（複数の無線通信システムの間で共用される周波数帯域）は、換言すると、アンライセンスバンドに含まれる周波数帯域である。アンライセンスバンドは、ライセンスなしで使用される帯域である。
【００８４】
例えば、上記アンライセンスバンドは、５ＧＨｚ帯である。この場合に、例えば、上記共用帯域は、無線ＬＡＮのチャネルである。即ち、上記共用帯域は、セルラーシステム及び無線ＬＡＮなどの間で共用される周波数帯域である。あるいは、上記アンライセンスバンドは、３．５ＧＨｚ帯又は６０ＧＨｚ帯などの他のバンドであってもよい。
【００８５】
一例として、図１２を再び参照すると、上記共用帯域は、周波数帯域Ｆ５である。
【００８６】
例えば、上記共用帯域は、コンポーネントキャリアとして使用される。例えば、上記共用帯域は、ダウンリンク専用のコンポーネントキャリアとして使用される。
【００８７】
（ｂ）スケジューリング情報
（ｂ−１）スケジューリング情報に含まれる情報
例えば、上記スケジューリング情報は、ＭＢＳＦＮサブフレームを示す情報を含む。より具体的には、例えば、上記スケジューリング情報は、サブフレームコンフィギュレーションリスト、及び共通サブフレーム割当て期間（Common  Subframe  Allocation  Period）を含む。
【００８８】
なお、システム情報及びページングに使用されるサブフレームがＭＢＳＦＮサブフレームとして使用されないように、ＭＢＳＦＮサブフレームは、通常、ＦＤＤのケースでは０／４／５／９以外のサブフレームであり、ＴＤＤのケースでは０／１／２／５／６以外のサブフレームである。しかし、例えば、共用帯域では、ページングが行われず、ＭＢＳＦＮサブフレームは、サブフレーム０／５以外のサブフレームであってもよい。
【００８９】
例えば、上記スケジューリング情報は、ＰＭＣＨ（Physical  Multicast  Channel）のコンフィギュレーションを示す情報を含む。より具体的には、例えば、上記スケジューリング情報は、ＰＭＣＨコンフィギュレーションリストを含む。当該ＰＭＣＨコンフィギュレーションリストは、ＰＭＣＨコンフィギュレーション、及びＰＭＣＨごとのＭＢＭＳセッションリストを含む。
【００９０】
例えば、上記スケジューリング情報は、上記ＭＢＳＦＮエリアの識別情報を含む。より具体的には、例えば、上記スケジューリング情報は、ＭＢＳＦＮエリアＩＤ（Identity）を含む。
【００９１】
（ｂ−２）スケジューリング情報の例
一例として、上記スケジューリング情報は、ＭＢＭＳスケジューリング情報メッセージに含まれる情報であり、ＭＢＳＦＮエリアコンフィギュレーションリストに含まれるＭＢＳＦＮエリアコンフィギュレーションアイテムＩＥ（Information  Element）である。
【００９２】
（ｃ）ＭＢＳＦＮエリア
（ｃ−１）ＭＢＳＦＮエリアに属する２つ以上の基地局
例えば、上記ＭＢＳＦＮエリアに属する上記２つ以上の基地局２００は、異なるセルラーシステムの基地局２００を含む。具体的には、例えば、上記２つ以上の基地局２００は、第１のセルラーシステムの基地局２００、及び当該第１のセルラーシステムとは異なる第２のセルラーシステムの基地局２００を含む。
【００９３】
例えば、上記２つ以上の基地局２００は、異なるオペレータ（例えば、異なるＭＮＯ）の基地局２００を含む。具体的には、例えば、上記第１のセルラーシステムは、第１のオペレータのシステムであり、上記第２のセルラーシステムは、第１のオペレータとは異なる第２のオペレータのシステムである。即ち、上記２つ以上の基地局２００は、上記第１のオペレータの基地局２００、及び上記第２のオペレータの基地局２００を含む。
【００９４】
一例として、図１１及び図１２を再び参照すると、第１のオペレータの第１のセルラーシステムの基地局２００Ａと、第２のオペレータの第２のセルラーシステムの基地局２００Ｂとが、ＭＢＳＦＮエリア４０に属する。この場合に、制御エンティティ１００は、ＭＢＳＦＮエリア４０に属する基地局２００Ａ及び基地局２００Ｂに、周波数帯域Ｆ５におけるＭＢＳＦＮ送信のためのスケジューリング情報を提供する。
【００９５】
以上のように、例えば、異なるセルラーシステムの基地局２００が、上記ＭＢＳＦＮエリアに属し、制御エンティティ１００（第１制御部１３１）は、上記スケジューリング情報を、異なるセルラーシステムの基地局２００（例えば、異なるオペレータの基地局２００）に提供する。これにより、例えば、異なるセルラーシステムの基地局がＭＢＳＦＮ送信を行うことが可能になる。即ち、異なるセルラーシステムが、同一の周波数帯域（共用帯域）を使用して、ＭＢＳＦＮのサービスを提供できる。そのため、異なるセルラーシステムが、異なる周波数帯域を使用してＭＢＳＦＮサービスを提供するケースと比べて、周波数帯域が効率的に使用される。
【００９６】
なお、第１の実施形態は係る例に限定されない。例えば、上記ＭＢＳＦＮエリアに属する上記２つ以上の基地局２００は、同一のセルラーシステムの基地局であってもよい。
【００９７】
（ｃ−２）対応する周波数帯域
上記ＭＢＳＦＮエリアは、１つの共用帯域に専用のエリアであってもよく、又は２つ以上の共用帯域の間で共通のエリアであってもよい。図１１及び図１２を再び参照すると、ＭＢＳＦＮエリア４０は、周波数帯域Ｆ５に専用のエリアであってもよく、周波数帯域Ｆ５を含む２つ以上の共用帯域の間で共通のエリアであってもよい。
【００９８】
あるいは、上記ＭＢＳＦＮエリアは、１つ以上のセルラー帯域及び１つ以上の共用帯域を含む２つ以上の周波数帯域の間で共通のエリアであってもよい。
【００９９】
以上のように、基地局２００は、共用帯域におけるＭＢＳＦＮ送信のスケジューリング情報を、当該ＭＢＳＦＮ送信のためのＭＢＳＦＮエリアに属する２つ以上の基地局２００に提供する。これにより、例えば、共用帯域を使用してＭＢＳＦＮのサービスを提供することが可能になる。
【０１００】
（２）ＭＢＳＦＮスケジューリング情報に従ったＭＢＳＦＮ送信
基地局２００は、共用帯域におけるＭＢＳＦＮ送信のためのスケジューリング情報であって、制御エンティティ１００により提供される当該スケジューリング情報に従って、上記共用帯域における上記ＭＢＳＦＮ送信を行う。
【０１０１】
第２制御部２５３は、上記スケジューリング情報を取得し、当該スケジューリング情報に従って、基地局２００による上記共用帯域における上記ＭＢＳＦＮ送信を制御する。
【０１０２】
（ａ）ＭＢＳＦＮ送信の例
一例として、図１１及び図１２を再び参照すると、制御エンティティ１００が、ＭＢＳＦＮエリア４０に属する基地局２００Ａ及び基地局２００Ｂの各々に、周波数帯域Ｆ５におけるＭＢＳＦＮ送信のためのスケジューリング情報を提供する。そして、基地局２００Ａ及び基地局２００Ｂの各々は、当該スケジューリング情報に従って、周波数帯域Ｆ５におけるＭＢＳＦＮ送信を行う。
【０１０３】
（ｂ）制御の例
例えば、第２制御部２５３は、上記スケジューリング情報から、ＭＢＳＦＮサブフレームを知り、各ＭＢＳＦＮサブフレーム内の上記共用帯域の無線リソースに、対応するＰＭＣＨの信号をマッピングする。
【０１０４】
（３）ＭＢＳＦＮエリアの割当て
例えば、制御エンティティ１００（第２制御部１３３）は、共用帯域におけるＭＢＳＦＮ送信のためのＭＢＳＦＮエリアを基地局２００に割り当てる（assign）。
【０１０５】
（ａ）ＭＢＳＦＮエリアの割当ての例
一例として、図１１及び図１２を再び参照すると、制御エンティティ１００は、周波数帯域Ｆ５におけるＭＢＳＦＮ送信のためのＭＢＳＦＮエリア４０を、基地局２００Ａ及び基地局２００Ｂの各々に割り当てる。
【０１０６】
例えばこのように、制御エンティティ１００（第１制御部２５１）は、共用帯域でのＭＢＳＦＮ送信のためのＭＢＳＦＮエリアを、異なるセルラーシステムの基地局２００（例えば、異なるオペレータの基地局）に割り当て得る。
【０１０７】
なお、制御エンティティ１００（第１制御部２５１）は、共用帯域でのＭＢＳＦＮ送信のためのＭＢＳＦＮエリアを、同一のセルラーシステムの基地局２００のみに割り当ててもよい。
【０１０８】
（ｂ）要求に応じた割当て
例えば、基地局２００（第１制御部２５１）は、基地局２００へのＭＢＳＦＮエリアの割当てを制御エンティティ１００に要求する。そして、制御エンティティ１００（第２制御部１３３）は、基地局２００からの要求に応じて、共用帯域におけるＭＢＳＦＮ送信のためのＭＢＳＦＮエリアを基地局２００に割り当てる。
【０１０９】
例えば、基地局２００は、ＭＢＳＦＮエリアの割当て要求メッセージを制御エンティティ１００へ送信する。制御エンティティ１００は、このメッセージを受信すると、ＭＢＳＦＮエリアを基地局２００に割り当てる。
【０１１０】
例えば、基地局２００は、制御エンティティ１００のＩＰアドレス及び／又はホスト名などを記憶する。これにより、基地局２００は、制御エンティティ１００への要求を行うことが可能になる。
【０１１１】
一例として、図１１を再び参照すると、基地局２００Ａが、ＭＢＳＦＮエリアの割当てを制御エンティティ１００に要求し、制御エンティティ１００は、基地局２００ＡにＭＢＳＦＮエリア４０を割り当てる。
【０１１２】
なお、基地局２００は、共用帯域におけるＭＢＳＦＮ送信のためのＭＢＳＦＮエリアの割当てを、制御エンティティ１００に要求してもよい。あるいは、基地局２００は、共用帯域に限られないいずれかの周波数帯域におけるＭＢＳＦＮ送信のためのＭＢＳＦＮエリアの割当てを、制御エンティティ１００に要求してもよい。
【０１１３】
（ｃ）割当ての手法
例えば、制御エンティティ１００（第１制御部２５１）は、基地局２００に適したＭＢＳＦＮエリアを、基地局２００に割り当てる。
【０１１４】
（ｃ−１）位置／周辺セル／測定結果
−位置
例えば、制御エンティティ１００（第１制御部２５１）は、基地局２００の位置に基づいて、基地局２００にＭＢＳＦＮエリアを割り当てる。
【０１１５】
より具体的には、例えば、制御エンティティ１００は、基地局２００の近くに存在するＭＢＳＦＮエリアを基地局２００に割り当てる。基地局２００の近くにＭＢＳＦＮエリアがない場合には、制御エンティティ１００は、新たなＭＢＳＦＮエリアを基地局２００に割当ててもよい。
【０１１６】
なお、例えば、基地局２００（第１制御部２５１）が、基地局２００の位置を制御エンティティ１００に通知する。一例として、基地局２００は、ＧＰＳ受信機から得られる位置情報を制御エンティティ１００へ送信する。
【０１１７】
あるいは、他の装置が、上記位置を制御エンティティ１００に通知してもよく、又は、当該位置が、制御エンティティ１００にとって既知であってもよい。
【０１１８】
−周辺セル
制御エンティティ１００は、基地局２００の周辺セルに基づいて、基地局２００にＭＢＳＦＮエリアを割り当ててもよい。
【０１１９】
より具体的には、制御エンティティ１００は、基地局２００の周辺セルに基づいて、基地局２００の位置を推定し、推定された位置に基づいて、基地局２００にＭＢＳＦＮエリアを割当ててもよい。あるいは、制御エンティティ１００は、基地局２００の周辺セルが属するいずれかのＭＢＳＦＮエリアを基地局２００に割当ててもよい。
【０１２０】
なお、基地局２００（第１制御部２５１）が、基地局２００の周辺セルを制御エンティティ１００に通知してもよい。一例として、基地局２００は、周辺セルのダウンリンク信号（例えば、同期信号）から、基地局２００の周辺セルを検出し、当該周辺セルを制御エンティティ１００に通知してもよい。
【０１２１】
あるいは、他の装置が、上記周辺セルを制御エンティティ１００に通知してもよく、又は、当該周辺セルが、制御エンティティ１００にとって既知であってもよい。
【０１２２】
−測定結果
制御エンティティ１００は、基地局２００による周辺セルについての測定の結果に基づいて、基地局２００にＭＢＳＦＮエリアを割り当ててもよい。
【０１２３】
より具体的には、制御エンティティ１００は、上記測定の上記結果に基づいて、基地局２００の位置を推定し、推定された位置に基づいて、基地局２００にＭＢＳＦＮエリアを割当ててもよい。あるいは、制御エンティティ１００は、上記測定の上記結果に基づいて、基地局２００の周辺セルを知り、当該周辺セルに基づいて、基地局２００にＭＢＳＦＮエリアを割当ててもよい。
【０１２４】
なお、基地局２００（第１制御部２５１）が、基地局２００による周辺セルについての測定の結果を制御エンティティ１００に通知してもよい。一例として、基地局２００は、周辺セルにより送信されるＣＲＳを用いて周辺セルについての測定を行ってもよい。
【０１２５】
上記測定の上記結果は、セルラー帯域における測定の結果であってもよい。あるいは、上記測定の上記結果は、共用帯域における測定の結果であってもよい。
【０１２６】
以上のように、制御エンティティ１００（第１制御部２５１）は、基地局２００の位置、基地局２００の周辺セル、又は基地局２００による当該周辺セルについての測定の結果に基づいて、基地局２００にＭＢＳＦＮエリアを割り当てる。これにより、例えば、基地局２００の近くに存在するＭＢＳＦＮエリアを基地局２００に割り当てることが可能になる。
【０１２７】
（ｃ−２）希望のサービス
例えば、制御エンティティ１００（第１制御部２５１）は、基地局２００の希望のサービスに基づいて、基地局２００に上記ＭＢＳＦＮエリアを割り当てる。
【０１２８】
より具体的には、例えば、制御エンティティ１００は、基地局２００の希望のサービスに対応するＭＢＳＮＦエリアを基地局２００に割り当てる。例えば、当該サービスに対応する既存のＭＢＳＦＮエリアがある場合には、制御エンティティ１００は、当該既存のＭＢＳＦＮエリアを基地局２００に割り当てる。上記サービスに対応する既存のＭＢＳＦＮエリアがない場合には、制御エンティティ１００は、上記サービスに対応する新たなＭＢＳＦＮエリアを基地局２００に割り当てる。
【０１２９】
上記サービスは、コンテンツプロバイダが提供するサービス（例えば、番組）であってもよい。あるいは、上記サービスは、ＭＢＭＳサービスであってもよく、又はＭＢＭＳセッションであってもよい。
【０１３０】
これにより、例えば、希望に応じたサービスが提供される。
【０１３１】
なお、例えば、基地局２００（第１制御部２５１）が、基地局２００の希望のサービスを制御エンティティ１００に通知する。一例として、基地局２００は、上記サービスの識別情報を制御エンティティ１００へ送信する。
【０１３２】
あるいは、他の装置が、基地局２００の希望のサービスを制御エンティティ１００に通知してもよい。
【０１３３】
あるいは、制御エンティティ１００は、基地局２００の希望のサービスではなく、いずれかの希望のサービス（例えば、端末装置の希望のサービスなど）に基づいて、基地局２００に上記ＭＢＳＦＮエリアを割り当ててもよい。この場合に、基地局２００又は他の装置が、上記希望のサービスを制御エンティティ１００に通知してもよい。
【０１３４】
（ｃ−３）使用可能な周波数帯域
例えば、制御エンティティ１００（第１制御部２５１）は、基地局２００が使用可能な周波数帯域に基づいて、基地局２００に上記ＭＢＳＦＮエリアを割り当てる。基地局２００が使用可能な周波数帯域は、換言すると、基地局２００がサポートする周波数帯域である。
【０１３５】
例えば、制御エンティティ１００は、基地局２００が使用可能な共用帯域（即ち、基地局２００がサポートする共用帯域）に基づいて、基地局２００に上記ＭＢＳＦＮエリアを割り当てる。
【０１３６】
より具体的には、例えば、制御エンティティ１００は、基地局２００が使用可能な共用帯域におけるＭＢＳＦＮ送信のためのＭＢＳＮＦエリアを基地局２００に割り当てる。当該ＭＢＳＦＮエリアは、既存のＭＢＳＦＮエリアであってもよく、又は新たなＭＢＳＦＮエリアであってもよい。
【０１３７】
これにより、例えば、基地局２００がＭＢＳＦＮ送信を行うことが可能なＭＢＳＦＮエリアが基地局２００に割り当てられる。
【０１３８】
なお、例えば、基地局２００（第１制御部２５１）が、基地局２００が使用可能な周波数帯域を制御エンティティ１００に通知する。一例として、基地局２００は、上記周波数帯域の識別情報を制御エンティティ１００へ送信する。
【０１３９】
あるいは、他の装置が、上記周波数帯域を制御エンティティ１００に通知してもよく、又は、上記周波数帯域が、制御エンティティ１００にとって既知であってもよい。
【０１４０】
（ｃ−４）ＭＢＳＦＮエリア／測定結果
−ＭＢＳＦＮエリア
制御エンティティ１００（第１制御部２５１）は、基地局２００により検出されたＭＢＳＦＮエリアに基づいて、基地局２００に上記ＭＢＳＦＮエリアを割り当ててもよい。また、基地局２００（第１制御部２５１）は、基地局２００により検出された上記ＭＢＳＦＮエリアを制御エンティティ１００に通知してもよい。
【０１４１】
例えば、基地局２００は、周辺セルのシステム情報（例えば、ＳＩＢ１３）から、ＭＢＳＦＮエリアを検出し、検出された当該ＭＢＳＦＮエリアを制御エンティティ１００に通知してもよい。
【０１４２】
一例として、基地局２００は、希望のサービスに対応するＭＢＳＦＮエリアに対応するＭＢＳＦＮエリアを検出した場合に、当該ＭＢＳＦＮエリアを制御エンティティ１００に通知してもよい。そして、制御エンティティ１００は、当該ＭＢＳＦＮエリアを基地局２００に割り当ててもよい。
【０１４３】
別の例として、基地局２００は、希望のサービスに対応するＭＢＳＦＮエリアを検出しなかった場合に、基地局２００により検出されたＭＢＳＦＮエリアと、上記希望のサービスとを、制御エンティティ１００に通知してもよい。そして、制御エンティティ１００は、基地局２００により検出された上記ＭＢＳＦＮエリア以外のＭＢＳＦＮであって、上記希望のサービスに対応する当該ＭＢＳＦＮエリアを、基地局２００に割り当ててもよい。
【０１４４】
これにより、例えば、基地局２００に適したＭＢＳＦＮエリアをより容易に割り当てることが可能になる。
【０１４５】
−ＭＢＳＦＮエリアについての測定の結果
制御エンティティ１００（第１制御部２５１）は、基地局２００によるＭＢＳＦＮエリアについての測定の結果に基づいて、基地局２００に上記ＭＢＳＦＮエリアを割り当ててもよい。また、基地局２００（第１制御部２５１）は、基地局２００によるＭＢＳＦＮエリアについての上記測定の上記結果を、制御エンティティ１００に通知してもよい。
【０１４６】
例えば、基地局２００は、周辺セルのシステム情報（例えば、ＳＩＢ１３）から、ＭＢＳＦＮエリアを検出し、ＭＢＳＦＮ−ＲＳを用いてＭＢＳＦＮエリアについての測定を行い、当該測定の結果を制御エンティティ１００に通知してもよい。
【０１４７】
一例として、制御エンティティ１００は、より良好な測定結果を伴うＭＢＳＦＮエリア（例えば、より大きい受信電力を伴うＭＢＳＦＮエリア）を基地局２００に割り当ててもよい。
【０１４８】
（ｄ）ＭＢＳＦＮエリアの割当てに伴う動作
制御エンティティ１００（第１制御部２５１）は、共用帯域におけるＭＢＳＦＮ送信のためのＭＢＳＦＮエリアの割当ての際に他の動作を行い得る。
【０１４９】
（ｄ−１）割り当てられたＭＢＳＦＮエリアの通知
例えば、制御エンティティ１００（第１制御部２５１）は、割り当てられた上記ＭＢＳＦＮエリアを基地局２００に通知する。
【０１５０】
具体的には、例えば、制御エンティティ１００は、ＭＢＳＦＮエリア割当て要求メッセージに応じて、応答メッセージ（例えば、ＭＢＳＦＮエリア割当て応答メッセージ）を基地局２００へ送信する。制御エンティティ１００は、当該応答メッセージの中で、割り当てられた上記ＭＢＳＦＮエリアを基地局２００に通知する。
【０１５１】
なお、制御エンティティ１００は、ＭＢＭＳスケジューリング情報メッセージの中で、割り当てられた上記ＭＢＳＦＮエリアを基地局２００に通知してもよい。あるいは、制御エンティティ１００は、ＭＢＭＳセッション開始要求メッセージの中で、割り当てられた上記ＭＢＳＦＮエリアを基地局２００に通知してもよい。
【０１５２】
（ｄ−２）共用帯域の使用の許可
例えば、制御エンティティ１００（第１制御部２５１）は、共用帯域の使用を基地局２００に許可する。そして、制御エンティティ１００は、当該共用帯域におけるＭＢＳＦＮ送信のためのＭＢＳＦＮエリアを基地局２００に割り当てる。
【０１５３】
（ｄ−３）共用帯域の割当て
ＭＢＳＦＮエリアと共用帯域とが一意に関連付けられていなくてもよい。この場合に、制御エンティティ１００（第１制御部２５１）は、ＭＢＳＦＮエリアに加えて共用帯域を基地局２００に割り当ててもよい。また、制御エンティティ１００（第１制御部２５１）は、基地局２００が使用可能な周波数帯域に基づいて、共用帯域を基地局２００に割り当ててもよい。
【０１５４】
さらに、制御エンティティ１００は、割り当てられた上記ＭＢＳＦＮエリアとともに、割り当てられた上記共用帯域を基地局２００に通知してもよい。
【０１５５】
なお、ＭＢＳＦＮエリアと共用帯域とが一意に関連付けられている場合には、ＭＢＳＦＮエリアの割当てにより、共用帯域も割り当てられる。
【０１５６】
（ｄ−４）送信電力の割当て
制御エンティティ１００（第１制御部２５１）は、ＭＢＳＦＮエリアとともに、ＭＢＳＦＮ送信の送信電力を基地局２００に割り当ててもよい。例えば、制御エンティティ１００は、基地局２００の位置などに基づいて、当該送信電力を基地局２００に割り当ててもよい。
【０１５７】
さらに、制御エンティティ１００は、割り当てられた上記ＭＢＳＦＮエリアとともに、割り当てられた上記送信電力を基地局２００に通知してもよい。
【０１５８】
（ｅ）レーダーシステムの考慮
一例として、制御エンティティ１００（第２制御部１３３）は、レーダーシステムにより使用される共用帯域におけるＭＢＳＦＮ送信のためのＭＢＳＦＮエリアを、基地局２００に割り当てる。例えば、当該共用帯域は、５ＧＨｚ帯の共用帯域である。
【０１５９】
（ｅ−１）第１の例
第１の例として、基地局２００による共用帯域の使用が当該共用帯域のレーダー波に干渉しないことを条件として、当該共用帯域の使用が基地局２００に許可され、当該共用帯域におけるＭＢＳＦＮ送信のためのＭＢＳＦＮエリアが基地局２００に割り当てられる。
【０１６０】
具体的には、例えば、制御エンティティ１００は、どの時間にどの領域に上記共用帯域のレーダー波が発射されるかを示す情報を予め保持する。この場合に、制御エンティティ１００（第２制御部１３３）は、ＭＢＳＦＮ送信の対象期間においてレーダー波が発射される領域に基地局２００の位置が含まれなければ、上記共用帯域の使用を基地局２００に許可し、上記共用帯域におけるＭＢＳＦＮ送信のためのＭＢＳＦＮエリアを基地局２００に割り当てる。
【０１６１】
あるいは、基地局２００は、上記共用帯域におけるレーダー波の検出の結果を、制御エンティティ１００に通知してもよい。この場合に、制御エンティティ１００（第２制御部１３３）は、基地局２００により上記共用帯域においてレーダー波が検出されていなければ、上記共用帯域の使用を基地局２００に許可してもよく、上記共用帯域におけるＭＢＳＦＮ送信のためのＭＢＳＦＮエリアを基地局２００に割り当ててもよい。
【０１６２】
あるいは、基地局２００は、上記共用帯域におけるレーダー波を検出しない場合に限り、上記共用帯域におけるＭＢＳＦＮ送信のためのＭＢＳＦＮエリアの割当てを、制御エンティティ１００に要求してもよい。
【０１６３】
（ｅ−２）第２の例
第２の例として、基地局２００による共用帯域の使用が当該共用帯域のレーダー波に干渉しない期間に限り、基地局２００がＭＢＳＦＮ送信を行ってもよい。
【０１６４】
例えば、制御エンティティ１００により基地局２００に提供される、共用帯域におけるＭＢＳＦＮ送信のスケジューリング情報は、当該ＭＢＳＦＮ送信のためのＭＢＳＦＮエリアにレーダー波が発射されない期間を対象としてもよい。制御エンティティ１００は、上記ＭＢＳＦＮエリアにレーダー波が発射されない期間を対象とするスケジューリングを行ってもよい。
【０１６５】
あるいは、基地局２００は、共用帯域においてレーダー波を検出しない場合に限り、当該共用帯域におけるＭＢＳＦＮ送信を行ってもよい。
【０１６６】
（ｆ）セルラー帯域
基地局２００は、セルラー帯域におけるＭＢＳＦＮ送信のためのＭＢＳＦＮエリアを基地局２００に割り当ててもよい。
【０１６７】
一例として、図１１及び図１２を再び参照すると、制御エンティティ１００は、周波数帯域Ｆ３におけるＭＢＳＦＮ送信のためのＭＢＳＦＮエリアを、基地局２００Ａに割り当ててもよい。
【０１６８】
（３）端末装置による受信のための動作
（ａ）端末装置による共用帯域の使用
（ａ−１）共用帯域のセルの発見
−測定対象の通知
例えば、基地局（基地局２００及び／又は基地局５０）は、共用帯域を測定対象（measurement  object）として端末装置３０に通知する。より具体的には、例えば、基地局（基地局２００又は基地局５０）は、共用帯域を含む複数の周波数帯域（即ち、周波数帯域のリスト）を測定対象として端末装置３０に通知する。これにより、例えば、端末装置３０が上記共用帯域のセルを発見することが可能になる。
【０１６９】
一例として、図１１及び図１２を再び参照すると、マクロセル５１Ａの基地局５０Ａは、測定対象として周波数帯域Ｆ１、Ｆ３、Ｆ５を端末装置３０Ａに通知する。これにより、例えば、端末装置３０Ａが周波数帯域Ｆ５のセル２０（スモールセル）を発見することが可能になる。
【０１７０】
なお、マクロセル５１Ａの基地局５０Ａは、共用帯域である周波数帯域Ｆ５を測定対象として端末装置３０Ａに通知せず、セル２０Ａ（スモールセル）の基地局２００Ａが、周波数帯域Ｆ５を測定対象として端末装置３０Ａに通知してもよい。これにより、例えば、端末装置３０Ａが周波数帯域Ｆ５のセル２０（スモールセル）を発見することが可能になる。
【０１７１】
−システム情報の報知
基地局（基地局２００及び／又は基地局５０）は、周波数帯域のリストを示すシステム情報を報知し、当該リストには、共用帯域（例えば、周波数帯域Ｆ５）が含まれていてもよい。当該システム情報は、ＳＩＢ５であってもよく、上記共用帯域のセル（例えば、周波数帯域Ｆ５のセル２０）をさらに示してもよい。これにより、例えば、端末装置３０が上記共用帯域のセルを発見することが可能になる。
【０１７２】
−端末装置による自主的な発見
端末装置３０は、自主的に、共用帯域のモニタリングを行ってもよい。より具体的には、端末装置３０は、自主的に、共用帯域（例えば、周波数帯域Ｆ５）で送信される同期信号の検出を試みることにより、当該共用帯域のモニタリングを行ってもよい。これにより、例えば、端末装置３０が上記共用帯域のセル（例えば、周波数帯域Ｆ５のセル２０）を発見することが可能になる。
【０１７３】
（ａ−２）端末装置の一連の動作
例えば、接続モード（例えば、ＲＲＣ接続モード）の端末装置３０は、共用帯域において送信される同期信号を検出し、フレーム同期を行う。そして、端末装置３０は、上記共用帯域についてのシステム情報を取得する。さらに、端末装置３０は、上記共用帯域についての測定（即ち、上記共用帯域において送信されるＣＲＳを用いた測定）を行い、基地局（例えば、基地局２００又は基地局５０）への測定報告を行う。その結果、例えば、当該基地局は、端末装置３０のＳＣＣとして上記共用帯域を追加する。そして、端末装置３０は、上記共用帯域の使用を開始する。
【０１７４】
（ｂ）ＭＢＳＦＮに関する情報の送信
（ｂ−１）ＭＢＳＦＮサブフレーム
例えば、基地局２００は、共用帯域のＭＢＳＦＮサブフレームを示す、当該共用帯域のシステム情報（例えば、ＳＩＢ２）を報知する。端末装置３０は、当該システム情報から、上記共用帯域の上記ＭＢＳＦＮサブフレームを知る。
【０１７５】
これにより、例えば、端末装置３０は、共用帯域においてＭＢＳＦＮサブフレーム以外のサブフレームで送信されるＣＲＳを用いて測定を行うことが可能になる。即ち、ＭＢＳＦＮサブフレームが測定対象から除外され得る。
【０１７６】
（ｂ−２）ＭＣＣＨコンフィギュレーション
例えば、基地局２００は、共用帯域のＭＣＣＨコンフィギュレーションを示す、当該共用帯域のシステム情報（例えば、ＳＩＢ１３）を報知する。端末装置３０は、当該システム情報から、上記共用帯域のＭＣＣＨを知る。
【０１７７】
（ｂ−３）ＭＢＳＦＮエリアコンフィギュレーション
例えば、基地局２００は、共用帯域のＭＣＣＨ上で、当該共用帯域のＭＢＳＦＮエリアコンフィギュレーションメッセージを送信する。当該ＭＢＳＦＮエリアコンフィギュレーションメッセージは、ＭＢＳＦＮサブフレーム及びＰＭＣＨコンフィギュレーションなどを示す。端末装置３０は、ＭＢＳＦＮサブフレーム及びＰＭＣＨコンフィギュレーションなどを知り、基地局２００のＭＢＳＦＮ送信に応じて、所望のＭＢＭＳセッションを受信する。
【０１７８】
（４）ＭＢＳＦＮサブフレーム以外のサブフレームでの共用帯域の使用
（ａ）ＭＢＳＦＮサブフレーム以外のサブフレーム
基地局２００は、周辺セルの基地局が報知する共用帯域のシステム情報を受信し、当該周辺セルにおける共用帯域のＭＢＳＦＮサブフレームを知ってもよい。そして、基地局２００は、当該ＭＢＳＦＮサブフレーム以外のサブフレーム内で、上記共用帯域を使用してもよい。また、基地局２００は、上記周辺セルの同期信号を検出し、上記周辺セルとの間でフレームタイミングを一致させてもよい。
【０１７９】
（ｂ）ブランクサブフレーム
基地局２００（第２制御部２５３）は、ＭＢＳＦＮサブフレーム以外のサブフレームのうちの、基地局２００が共用帯域を使用しないサブフレームを報知してもよい。例えば、基地局２００は、基地局２００が共用帯域を使用しないサブフレーム（以下、「ブランクサブフレーム」と呼ぶ）を示す、当該共用帯域のシステム情報を報知してもよい。また、基地局２００は、周辺セルの基地局が報知する共用帯域のシステム情報を受信し、当該周辺セルの当該基地局にとってのブランクサブフレームを知ってもよい。そして、基地局２００は、当該ブランクサブフレーム内で、上記共用帯域を使用してもよい。これにより、例えば、他の基地局との干渉を回避しつつ、共用帯域を使用することが可能になる。
【０１８０】
なお、複数の周辺セルが存在する場合には、基地局２００は、当該複数の周辺セル間で共通のブランクサブフレーム内で、上記共用帯域を使用してもよい。また、ブランクサブフレームは、制御領域（例えば、１〜３ＯＦＤＭシンボル）では信号が送信され得るが、データ領域（例えば、４〜１４ＯＦＤＭシンボル）では信号が送信されるサブフレームであってもよい。
【０１８１】
＜４．３．処理の流れ＞
次に、図１５を参照して、第１の実施形態に係る処理の例を説明する。図１５は、第１の実施形態に係る処理の概略的な流れの一例を示すシーケンス図である。
【０１８２】
基地局２００は、基地局２００へのＭＢＳＦＮエリアの割当てを制御エンティティ１００に要求する（Ｓ４０１）。例えば、基地局２００は、ＭＢＳＦＮエリアの割当て要求メッセージを制御エンティティ１００へ送信する。例えば、当該ＭＢＳＦＮエリアの割当て要求メッセージは、基地局２００の位置、希望のサービス、及び基地局２００が使用可能な周波数帯域などを示す。
【０１８３】
制御エンティティ１００は、基地局２００からの要求に応じて、共用帯域におけるＭＢＳＦＮ送信のためのＭＢＳＦＮエリアを基地局２００に割り当てる（Ｓ４０３）。例えば、制御エンティティ１００は、基地局２００の位置、希望のサービス、及び基地局２００が使用可能な周波数帯域に基づいて、上記ＭＢＳＦＮエリアを基地局２００に割り当てる。なお、制御エンティティ１００は、上記共用帯域の使用を基地局２００に許可する。
【０１８４】
その後、制御エンティティ１００は、基地局２００からの要求への応答を行う（Ｓ４０５）。例えば、制御エンティティ１００は、ＭＢＳＦＮエリアの割当て応答メッセージを基地局２００へ送信する（Ｓ４０５）。例えば、当該ＭＢＳＦＮエリアの割当て応答メッセージは、割り当てられたＭＢＳＦＮエリアを示す。
【０１８５】
その後、制御エンティティ１００は、ＭＢＭＳセッション開始要求メッセージを基地局２００へ送信し（Ｓ４０７）、基地局２００は、ＭＢＭＳセッション開始応答メッセージを制御エンティティ１００へ送信する（Ｓ４０９）。
【０１８６】
また、制御エンティティ１００は、上記共用帯域におけるＭＢＳＦＮ送信のためのスケジューリング情報を取得し、当該ＭＢＳＦＮ送信のためのＭＢＳＦＮエリアに属する２つ以上の基地局２００に上記スケジューリング情報を提供する（Ｓ４１１）。例えば、制御エンティティ１００は、ＭＢＳＦＮスケジューリング情報メッセージを上記２つ以上の基地局２００へ送信する。上記２つ以上の基地局２００の各々は、ＭＢＳＦＮスケジューリング情報応答メッセージを制御エンティティ１００へ送信する（Ｓ４１３）。
【０１８７】
上記２つ以上の基地局２００は、上記スケジューリング情報を取得し、当該スケジューリング情報に従って、上記共用帯域におけるＭＢＳＦＮ送信を行う（Ｓ４１５）。
【０１８８】
＜＜５．第２の実施形態＞＞
続いて、図１６〜図２２を参照して、本開示の第２の実施形態を説明する。
【０１８９】
＜５．１．概略＞
（１）技術的課題
セルラーシステムでのトラフィックの急増により、周波数帯域の枯渇が懸念されている。そのため、アンライセンスバンドをセルラーシステムにおいて使用することが検討されている。例えば、当該アンライセンスバンドは、無線ＬＡＮなどで使用される５ＧＨｚ帯、又は６０ＧＨｚ帯及びなどである。一例として、５ＧＨｚ帯の一部の周波数帯域（例えば、無線ＬＡＮのチャネル）が、セルラーシステムにおいてスモールセルのためのダウンリンクコンポーネントキャリアとして使用されることが、想定される。アンライセンスバンドに含まれる周波数帯域がセルラーシステムにおいて使用される場合、当該周波数帯域は、複数の無線通信システムの間で共用される周波数帯域であると言える。
【０１９０】
ライセンスバンドに含まれる周波数帯域と同様に、アンライセンスバンドに含まれる周波数帯域においても、ＭＢＳＦＮ送信が行われ得る。さらに、当該周波数帯域は、異なるセルラーシステムにより使用され得る。そのため、当該周波数帯域におけるＭＢＳＦＮ送信のためのＭＢＳＦＮエリアに、異なるセルラーシステムの基地局（例えば、異なるオペレータの基地局）が属することも考えられる。
【０１９１】
しかし、例えば、異なるセルラーシステムの基地局（例えば、異なるオペレータの基地局）は、無線フレームの同期をとっていない。そのため、異なるセルラーシステムの基地局は、同一のＭＢＳＦＮスケジューリング情報を提供されたとしても、ＭＢＳＦＮ送信を行うことができない。ＭＢＳＦＮ送信では、同一の無線リソースを使用した同一の信号が送信されるからである。
【０１９２】
そこで、複数の無線通信システムの間で共用さえる周波数帯域におけるＭＢＳＦＮ送信を異なるセルラーシステムの基地局が行うことを可能にする仕組みが提供されることが望ましい。
【０１９３】
（２）技術的手段
第２の実施形態では、制御エンティティ１００は、複数の無線通信システムの間で共用される周波数帯域についての無線フレームの同期をとるためのフレーム同期情報を、上記周波数帯域におけるＭＢＳＦＮ送信のためのＭＢＳＦＮエリアに属する基地局２００に提供する。当該ＭＢＳＦＮエリアには、異なるセルラーシステムの基地局２００が属する。
【０１９４】
これにより、例えば、複数の無線通信システムの間で共用さえる周波数帯域におけるＭＢＳＦＮ送信を異なるセルラーシステムの基地局が行うことが可能になる。
【０１９５】
＜５．２．第２の実施形態に係る技術的特徴＞
次に、図１６〜図２１を参照して、第２の実施形態に係る技術的特徴を説明する。
【０１９６】
（１）基地局間における共用帯域についてのフレームタイミングの同期
制御エンティティ１００は、複数の無線通信システムの間で共用される周波数帯域（即ち、共用帯域）についての無線フレームの同期をとるためのフレーム同期情報を、上記周波数帯域におけるＭＢＳＦＮ送信のためのＭＢＳＦＮエリアに属する基地局２００に提供する。第１制御部１３１は、上記フレーム同期情報を取得し、上記ＭＢＳＦＮエリアに属する基地局２００に上記フレーム同期情報を提供する。
【０１９７】
基地局２００は、複数の無線通信システムの間で共用される周波数帯域（即ち、共用帯域）についての無線フレームの同期をとるためのフレーム同期情報であって、制御エンティティ１００により提供される当該フレーム同期情報に基づいて、上記周波数帯域についての無線フレームのタイミングを調整する。第２制御部２５３は、上記フレーム同期情報を取得し、当該フレーム同期情報に基づいて、上記タイミングを調整する。
【０１９８】
なお、以下では、無線フレームのタイミングは、フレームタイミングと呼ばれ得る。
【０１９９】
（ａ）ＭＢＳＦＮエリア
上記ＭＢＳＦＮエリアには、異なるセルラーシステムの基地局２００が属する。例えば、上記ＭＢＳＦＮエリアには、第１のセルラーシステムの基地局２００、及び当該第１のセルラーシステムとは異なる第２のセルラーシステムの基地局２００が属する。
【０２００】
例えば、上記ＭＢＳＦＮエリアには、異なるオペレータ（例えば、異なるＭＮＯ）の基地局２００が属する。例えば、上記第１のセルラーシステムは、第１のオペレータのシステムであり、上記第２のセルラーシステムは、第１のオペレータとは異なる第２のオペレータのシステムである。即ち、上記ＭＢＳＦＮエリアには、上記第１のオペレータの基地局２００、及び上記第２のオペレータの基地局２００が属する。
【０２０１】
一例として、図１１及び図１２を再び参照すると、第１のオペレータの第１のセルラーシステムの基地局２００Ａと、第２のオペレータの第２のセルラーシステムの基地局２００Ｂとが、ＭＢＳＦＮエリア４０に属する。この場合に、制御エンティティ１００は、周波数帯域Ｆ５についての無線フレームの同期をとるためのフレーム同期情報を、ＭＢＳＦＮエリア４０に属する基地局２００Ａ及び／又は基地局２００Ｂに提供する。
【０２０２】
（ｂ）共用帯域
上記共用帯域（複数の無線通信システムの間で共用される周波数帯域）は、換言すると、アンライセンスバンドに含まれる周波数帯域である。アンライセンスバンドは、ライセンスなしで使用可能な帯域である。
【０２０３】
例えば、上記アンライセンスバンドは、５ＧＨｚ帯である。この場合に、例えば、上記共用帯域は、無線ＬＡＮのチャネルである。即ち、上記共用帯域は、セルラーシステム及び無線ＬＡＮなどの間で共用される周波数帯域である。あるいは、上記アンライセンスバンドは、３．５ＧＨｚ帯又は６０ＧＨｚ帯などの他のバンドであってもよい。
【０２０４】
一例として、図１２を再び参照すると、上記共用帯域は、周波数帯域Ｆ５である。
【０２０５】
例えば、上記共用帯域は、コンポーネントキャリアとして使用される。例えば、上記共用帯域は、ダウンリンク専用のコンポーネントキャリアとして使用される。
【０２０６】
（ｃ）フレーム同期情報の第１の例
（ｃ−１）フレーム同期情報
例えば、上記フレーム同期情報は、上記共用帯域についてのフレームタイミング（即ち、無線フレームのタイミング）を示す情報である。例えば、上記フレームタイミングは、上記共用帯域についての無線フレームの先頭のタイミングである。
【０２０７】
例えば、制御エンティティ１００（第１制御部１３１）は、上記ＭＢＳＦＮエリアに属する２つ以上の基地局２００に上記フレーム同期情報を提供する。例えば、制御エンティティ１００（第１制御部１３１）は、上記ＭＢＳＦＮエリアに属する全ての基地局２００（例えば、ＭＢＳＦＮエリア４０に属する基地局２００Ａ及び基地局２００Ｂ）に上記フレーム同期情報を提供する。
【０２０８】
（ｃ−２）調整手法
例えば、基地局２００（第２制御部２５３）は、上記フレーム同期情報により示されるフレームタイミングに、基地局２００における上記共用帯域についてのフレームタイミングを合わせる。以下、この点について図１６を参照して具体例を説明する。
【０２０９】
図１６は、基地局２００によるフレームタイミングの調整の例を説明するための説明図である。図１６を参照すると、制御エンティティ１００は、周波数帯域Ｆ５（共用帯域）についてのフレームタイミングを保持する。当該フレームタイミングは、無線フレームの先頭のタイミングである。そして、制御エンティティ１００は、当該フレームタイミングを示すフレーム同期情報を、ＭＢＳＦＮエリア４０に属する基地局２００Ａ及び基地局２００Ｂに提供する。基地局２００Ａは、基地局２００Ａにおける周波数帯域Ｆ５についてのフレームタイミングを、上記フレーム同期情報により示されるフレームタイミング（即ち、制御エンティティ１００により保持されるフレームタイミング）に合わせる。基地局２００Ｂも、基地局２００Ｂにおける周波数帯域Ｆ５についてのフレームタイミングを、上記フレーム同期情報により示されるフレームタイミング（即ち、制御エンティティ１００により保持されるフレームタイミング）に合わせる。
【０２１０】
これにより、例えば、共用帯域におけるフレームタイミングが、異なるセルラーシステムの基地局２００間で合わせられる。その結果、異なるセルラーシステムの基地局２００が共用帯域におけるＭＢＳＦＮ送信を行い得る。
【０２１１】
（ｃ−３）クロック補正
−クロック補正処理
例えば、制御エンティティ１００（第１制御部１３１）は、上記２つ以上の基地局２００の各々とのクロック補正処理を行う。具体的には、例えば、当該クロック補正処理は、ＩＥＥＥ１５８８に従った処理である。当該クロック補正処理は、クロック同期処理とも呼ばれ得る。以下、図１７及び図１８を参照して、クロックの例及びクロック補正処理の例を説明する。
【０２１２】
図１７は、クロックの例を説明するための説明図である。図１７を参照すると、制御エンティティ１００のクロック及び基地局２００のクロックが示されている。例えば、制御エンティティ１００のクロックと基地局２００のクロックとは、時間８１だけずれている。
【０２１３】
図１８は、クロック補正処理の例を説明するための説明図である。マスタである制御エンティティ１００は、スレーブである基地局２００へＡＮＮＯＵＮＣＥメッセージを送信する（Ｓ９１）。そして、制御エンティティ１００は、時刻Ｔ１にＳＹＮＣメッセージを基地局２００へさらに送信し（Ｓ９３）、基地局２００は、上記ＳＹＮＣメッセージが基地局２００に到着した時刻Ｔ２を記録する。さらに、制御エンティティ１００は、時刻Ｔ１を示すＦＯＬＬＯＷ＿ＵＰメッセージを基地局２００へ送信する（Ｓ９５）。その後、基地局２００は、時刻Ｔ３にＤＥＬＡＹ＿ＲＥＱメッセージを送信し（Ｓ９７）、時刻Ｔ３を記録する。そして、制御エンティティ１００は、ＤＥＬＡＹ＿ＲＥＱメッセージが到着した時刻Ｔ４を示すＤＥＬＡＹ＿ＲＥＳＰメッセージを基地局２００へ送信する（Ｓ９９）。基地局２００は、時刻Ｔ１〜Ｔ４に基づいて、制御エンティティ１００と基地局２００との間での往復の遅延時間と、クロックのオフセットとを算出する。片道の遅延時間が往復の遅延時間の半分であると仮定すると、片道の遅延時間は、［（ｔ２−ｔ１）＋（ｔ４−ｔ３）］／２である。また、クロックのオフセットは、（ｔ２−ｔ１）−（片道の遅延時間）である。クロックのオフセットは、図１７に示される時間８１に対応する。基地局２００は、クロック補正処理の結果として、時間８１に対応する上記オフセットを取得する。なお、例えば、このようなプロセスが複数回繰り返される。また、周期的にこのようなプロセスが繰り返される。
【０２１４】
−クロック補正処理の結果に基づくフレームタイミングの調整
例えば、基地局２００（第２制御部２５３）は、制御エンティティ１００とのクロック補正処理の結果にさらに基づいて、上記共用帯域についてのフレームタイミングを調整する。
【０２１５】
例えば、上述したように、上記クロック補正処理の上記結果は、時間８１に対応する上記オフセットである。そして、基地局２００は、上記共用帯域についてのフレームタイミングを示すフレーム同期情報と、上記オフセットとに基づいて、上記共用帯域についてのフレームタイミングを調整する。一例として、基地局２００は、上記オフセットを用いて、上記フレーム同期情報により示される上記フレームタイミングの補正を行い、基地局２００における上記共用帯域についてのフレームタイミングを上記補正後のフレームタイミングに合わせる。別の例として、基地局２００は、上記オフセットを用いて、基地局２００が維持する時刻の補正を行ってもよい。そして、基地局２００は、基地局２００における上記共用帯域についてのフレームタイミングを、上記フレーム同期情報により示される上記フレームタイミングに合わせてもよい。
【０２１６】
これにより、例えば、共用帯域におけるフレームタイミングが、異なるセルラーシステムの基地局２００間でより精密に合わせられる。
【０２１７】
（ｃ−４）ＧＰＳの時刻情報の利用
上記クロック補正処理の代わりに、基地局２００（第２制御部２５３）は、ＧＰＳ（Global  Positioning  System）受信機から得られる時刻情報にさらに基づいて、上記共用帯域についてのフレームタイミングを調整してもよい。
【０２１８】
基地局２００は、ＧＰＳ受信機を備えてもよい。当該ＧＰＳ受信機は、ＧＰＳ衛星からの信号の受信により正確な時刻を算出してもよい。基地局２００は、当該正確な時刻を示す時刻情報に基づいて、基地局２００が維持する時刻の補正を行ってもよい。そして、基地局２００は、基地局２００における上記共用帯域についてのフレームタイミングを、上記フレーム同期情報により示される上記フレームタイミングに合わせてもよい。
【０２１９】
これにより、例えば、共用帯域におけるフレームタイミングが、異なるセルラーシステムの基地局２００間でより精密に合わせられる。
【０２２０】
（ｄ）第２の例
（ｄ−１）フレーム同期情報
上記フレーム同期情報は、上記共用帯域におけるＭＢＳＦＮ送信のための上記ＭＢＳＦＮエリアに属する２つ以上の基地局２００のうちの上記同期（即ち、上記共用帯域についての無線フレームの同期）の基準となる基地局を示す情報であってもよい。
【０２２１】
一例として、図１１及び図１２を再び参照すると、ＭＢＳＦＮエリア４０に属する基地局（即ち、基地局２００Ａ及び基地局２００Ｂ）のうちの基地局２００Ｂが、周波数帯域Ｆ５（共用帯域）についての無線フレームの同期の基準となる基地局であってもよい。この場合に、上記フレーム同期情報は、上記同期の基準となる基地局として基地局２００Ｂを示してもよい。
【０２２２】
制御エンティティ１００（第１制御部１３１）は、上記ＭＢＳＦＮエリアに属する全ての基地局２００（例えば、ＭＢＳＦＮエリア４０に属する基地局２００Ａ及び基地局２００Ｂ）に上記フレーム同期情報を提供してもよい。あるいは、制御エンティティ１００（第１制御部１３１）は、上記ＭＢＳＦＮエリアに属する全ての基地局２００のうちの、上記同期の基準となる基地局（例えば、基地局２００Ｂ）を除く基地局２００（例えば、基地局２００Ａ）に、上記フレーム同期情報を提供してもよい。
【０２２３】
（ｄ−２）調整手法
例えば、基地局２００は、上記同期の基準となる基地局ではなく、基地局２００（第２制御部２５３）は、上記同期の基準となる基地局により上記共用帯域において送信される同期信号を用いて、上記共用帯域についてのフレームタイミングを調整してもよい。
【０２２４】
一例として、図１１及び図１２を再び参照すると、基地局２００Ａは、同期の基準となる基地局２００Ｂにより周波数帯域Ｆ５（共用帯域）において送信される同期信号を用いて、周波数帯域Ｆ５における基地局２００Ａのフレームタイミングを、周波数帯域Ｆ５における基地局２００Ｂの無線フレームのタイミングに合わせてもよい。上記同期信号は、ＰＳＳ（Primary  Synchronization  Signal）及びＳＳＳ（Secondary  Synchronization  Signal）であってもよい。
【０２２５】
これにより、例えば、共用帯域におけるフレームタイミングが、異なるセルラーシステムの基地局２００間で合わせられる。その結果、異なるセルラーシステムの基地局２００が共用帯域におけるＭＢＳＦＮ送信を行い得る。
【０２２６】
なお、基地局２００は、上記同期の基準となる基地局であってもよい。この場合に、基地局２００（第２制御部２５３）は、上記共用帯域についてのフレームタイミングを調整しなくてもよい。
【０２２７】
（ｅ）フレーム同期情報の提供のタイミング
制御エンティティ１００は、上記共用帯域におけるＭＢＳＦＮ送信のためのＭＢＳＦＮエリアを基地局２００に割り当てる際に、上記フレーム同期情報を基地局２００に提供してもよく、又は、上記ＭＢＳＦＮエリアに属する基地局２００に上記フレーム同期情報を周期的に提供してもよい。
【０２２８】
（２）基地局間におけるセルラー帯域についてのフレームタイミングの同期
例えば、上記共用帯域についてのフレームタイミングは、セルラー帯域（即ち、セルラーシステム用の周波数帯域）についてのフレームタイミングとは異なる。
【０２２９】
一例として、図１１及び図１２を参照すると、セル２０（スモールセル）の基地局２００は、セルラー帯域における基地局２００のフレームタイミングを、マクロセル５１の基地局５０のフレームタイミングに合わせる。一方、セル２０（スモールセル）の基地局２００は、共用帯域における基地局２００のフレームタイミングを、制御エンティティ１００により保持される共用帯域についてのフレームタイミング（又は、同期の基準となる他の基地局２００の共用帯域におけるフレームタイミング）に合わせる。そのため、共用帯域についてのフレームタイミングは、セルラー帯域についてのフレームタイミングとは異なる。以下、この点について図１９を参照して具体例を説明する。
【０２３０】
図１９は、基地局２００によるフレームタイミングの調整のさらなる例を説明するための説明図である。図１９を参照すると、図１６の例と同様に、基地局２００Ａは、基地局２００Ａにおける周波数帯域Ｆ５についてのフレームタイミングを、制御エンティティ１００により保持されるフレームタイミングに合わせる。一方、基地局２００Ａは、基地局２００Ａにおける周波数帯域Ｆ３についてのフレームタイミングを、マクロセル５１Ａの基地局５０Ａにおける周波数帯域Ｆ１についてのフレームタイミングに合わせる。このように、基地局２００Ａにおいて、周波数帯域Ｆ５についてのフレームタイミングは、周波数帯域Ｆ３についてのフレームタイミングとは異なる。また、基地局２００Ｂは、基地局２００Ｂにおける周波数帯域Ｆ５についてのフレームタイミングを、制御エンティティ１００により保持されるフレームタイミングに合わせる。一方、基地局２００Ｂは、基地局２００Ｂにおける周波数帯域Ｆ４についてのフレームタイミングを、マクロセル５１Ｂの基地局５０Ｂにおける周波数帯域Ｆ２についてのフレームタイミングに合わせる。このように、基地局２００Ｂにおいて、周波数帯域Ｆ５についてのフレームタイミングは、周波数帯域Ｆ４についてのフレームタイミングとは異なる。
【０２３１】
なお、例えば、基地局２００は、セルラー帯域についてのフレームタイミングの調整のために、クロックの第１のオフセットを使用し、共用帯域についてのフレームタイミングの調整のために、クロックの第２のオフセットを使用する。以下、この点について図２０を参照して具体例を説明する。
【０２３２】
図２０は、クロックの２つのオフセットを説明するための説明図である。図１９を参照すると、基地局５０のクロック、制御エンティティ１００のクロック、及び基地局２００のクロックが示されている。基地局５０のクロックと基地局２００のクロックとは、時間８３だけずれている。そのため、基地局２００は、セルラー帯域における基地局２００のフレームタイミングの調整のために、時間８３に対応する第１のオフセットを使用する。また、図１７を参照して説明したように、制御エンティティ１００のクロックと基地局２００のクロックとは、時間８１だけずれている。そのため、基地局２００は、共用帯域における基地局２００のフレームタイミングの調整のために、時間８１に対応する第２のオフセットを使用する。
【０２３３】
（３）端末装置のフレームタイミングの同期
端末装置３０は、セルラー帯域において基地局２００により送信される同期信号を用いて、当該セルラー帯域についてのフレームタイミングの同期をとる（synchronize）。一方、端末装置３０は、共用帯域において基地局２００により送信される同期信号を用いて、当該共用帯域についてのフレームタイミングの同期をとる。その結果、例えば、端末装置３０でも、上記セルラー帯域についてのフレームタイミングと、上記共用帯域についてのフレームタイミングとが異なる。
【０２３４】
（４）フレームタイミングに関連するその他の特徴
例えば、端末装置３０は、キャリアアグリゲーションをサポートし、セルラー帯域をＰＣＣとして使用し、共用帯域をＳＣＣとして使用する。なお、上述したように、当該セルラー帯域（ＰＣＣ）についてのフレームタイミングと共用帯域（ＳＣＣ）についてのフレームタイミングとが異なり得る。
【０２３５】
（ａ）再送制御
例えば、基地局２００は、上記共用帯域においてダウンリンクデータを端末装置３０へ送信し、端末装置３０は、上記共用帯域（ＳＣＣ）において当該ダウンリンクデータを受信する。その後、端末装置３０は、上記セルラー帯域において、上記ダウンリンクデータについてのＡＣＫ／ＮＡＣＫを送信する。とりわけ、端末装置３０は、上記セルラー帯域（ＰＣＣ）についてのフレームタイミングに従って、上記ＡＣＫ／ＮＡＣＫを送信する。そのため、端末装置３０は、ＳＣＣのフレームタイミングがＰＣＣのフレームタイミングと同期している場合とは異なるタイミングで、上記ＡＣＫ／ＮＡＣＫを送信する。以下、この点について図２１を参照して具体例を説明する。
【０２３６】
図２１は、共用帯域において送信されるダウンリンクデータについてのＡＣＫ／ＮＡＣＫの送信の一例を説明するための説明図である。図２１を参照すると、セルラー帯域である周波数帯域Ｆ３の無線フレームと、共用帯域である周波数帯域Ｆ５の無線フレームとが示されている。周波数帯域Ｆ３のフレームタイミングと周波数帯域Ｆ５のフレームタイミングは異なる。この例では、端末装置３０Ａは、周波数帯域Ｆ３をＰＣＣとして使用し、周波数帯域Ｆ５をＳＣＣとして使用する。例えば、端末装置３０Ａは、通常、ダウンリンクデータが送信されるサブフレームの４サブフレーム後に、ＡＣＫ／ＮＡＣＫを送信する。しかし、端末装置３０Ａは、周波数帯域Ｆ５においてサブフレーム０で送信されたダウンリンクデータについてのＡＣＫ／ＮＡＣＫを、周波数帯域Ｆ３において、サブフレーム４ではなくサブフレーム８で送信する。
【０２３７】
（ｂ）カウンティング
例えば、端末装置３０は、上記共用帯域（ＳＣＣ）において、基地局２００により送信されるＭＢＭＳカウンティング要求メッセージ（MBMS  Counting  Request  message）を受信する。受信中の又は関心のあるＭＢＭＳサービスが、上記ＭＢＭＳカウンティング要求メッセージの中のリストに含まれる場合には、端末装置３０は、上記セルラー帯域（ＰＣＣ）において、ＭＢＭＳカウンティング応答メッセージ（MBMS  Counting  Response  message）を送信する。とりわけ、端末装置３０は、上記セルラー帯域（ＰＣＣ）についてのフレームタイミングに従って、上記ＭＢＭＳカウンティング応答メッセージを送信する。
【０２３８】
＜５．３．処理の流れ＞
次に、図２２を参照して、第１の実施形態に係る処理の例を説明する。図２２は、第２の実施形態に係る処理の概略的な流れの一例を示すシーケンス図である。
【０２３９】
制御エンティティ１００は、共用帯域についての無線フレームの同期をとるためのフレーム同期情報を取得し、上記共用帯域におけるＭＢＳＦＮ送信のためのＭＢＳＦＮエリアに属する基地局２００に上記フレーム同期情報を提供する（Ｓ４３１）。
【０２４０】
基地局２００は、上記フレーム同期情報を取得し、当該フレーム同期情報に基づいて、上記共用帯域についての無線フレームのタイミングを調整する（Ｓ４３３）。
【０２４１】
その後、基地局２００は、上記共用帯域におけるＭＢＳＦＮ送信を行う（Ｓ４３５）。
【０２４２】
以上、第２の実施形態を説明した。なお、第２の実施形態と第１の実施形態は組み合せられ得る。例えば、第２の実施形態に係る制御エンティティ１００の動作は、第１の実施形態に係る制御エンティティ１００の動作をさらに含んでもよい。例えば、第２の実施形態に係る基地局２００の動作は、第１の実施形態に係る基地局２００の動作をさらに含んでもよい。
【０２４３】
＜＜６．応用例＞＞
本開示に係る技術は、様々な製品へ応用可能である。例えば、制御エンティティ１００は、タワーサーバ、ラックサーバ、又はブレードサーバなどのいずれかの種類のサーバとして実現されてもよい。また、制御エンティティ１００の少なくとも一部の構成要素は、サーバに搭載されるモジュール（例えば、１つのダイで構成される集積回路モジュール、又はブレードサーバのスロットに挿入されるカード若しくはブレード）において実現されてもよい。
【０２４４】
また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。さらに、基地局２００の少なくとも一部の構成要素は、基地局装置又は基地局装置のためのモジュールにおいて実現されてもよい。
【０２４５】
＜６．１．制御エンティティに関する応用例＞
図２３は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２４６】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２４７】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２４８】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２４９】
図２３に示したサーバ７００において、図１３を参照して説明した第１制御部１３１及び／又は第２制御部１３３は、プロセッサ７０１において実装されてもよい。一例として、プロセッサを第１制御部１３１及び／又は第２制御部１３３として機能させるためのプログラム（換言すると、プロセッサに第１制御部１３１及び／又は第２制御部１３３の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて第１制御部１３１及び／又は第２制御部１３３が実装されてもよい。この場合に、上記モジュールは、プロセッサを第１制御部１３１及び／又は第２制御部１３３として機能させるためのプログラムをメモリ７０２に記憶し、当該プログラムをプロセッサ７０１により実行してもよい。以上のように、第１制御部１３１及び／又は第２制御部１３３を備える装置としてサーバ７００又は上記モジュールが提供されてもよく、プロセッサを第１制御部１３１及び／又は第２制御部１３３として機能させるための上記プログラムが提供されてもよい。また、上記プログラムを記録した読み取り可能な記録媒体が提供されてもよい。
【０２５０】
＜６．２．基地局に関する応用例＞
（１）第１の応用例
図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２５１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０２５２】
基地局装置８２０は、コントローラ８２１、メモリ８２２、ネットワークインタフェース８２３及び無線通信インタフェース８２５を備える。
【０２５３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２５４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２５５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２５６】
無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２５７】
図２４に示したｅＮＢ８００において、図１４を参照して説明した第１制御部２５１及び／又は第２制御部２５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて第１制御部２５１及び／又は第２制御部２５３が実装されてもよい。この場合に、上記モジュールは、プロセッサを第１制御部２５１及び／又は第２制御部２５３として機能させるためのプログラム（換言すると、プロセッサに第１制御部２５１及び／又は第２制御部２５３の動作を実行させるためのプログラム）を記憶し、当該プログラムを実行してもよい。別の例として、プロセッサを第１制御部２５１及び／又は第２制御部２５３として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、第１制御部２５１及び／又は第２制御部２５３を備える装置としてｅＮＢ８００、基地局装置８２０又は上記モジュールが提供されてもよく、プロセッサを第１制御部２５１及び／又は第２制御部２５３として機能させるためのプログラムが提供されてもよい。また、上記プログラムを記録した読み取り可能な記録媒体が提供されてもよい。
【０２５８】
また、図２４に示したｅＮＢ８００において、図１４を参照して説明した無線通信部２２０は、無線通信インタフェース８２５（例えば、ＲＦ回路８２７）において実装されてもよい。また、アンテナ部２１０は、アンテナ８１０において実装されてもよい。また、ネットワーク通信部２３０は、コントローラ８２１及び／又はネットワークインタフェース８２３において実装されてもよい。
【０２５９】
（２）第２の応用例
図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２６０】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０２６１】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０２６２】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２５に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０２６３】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２６４】
また、ＲＲＨ８６０は、接続インタフェース８６１及び無線通信インタフェース８６３を備える。
【０２６５】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２６６】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０２６７】
図２５に示したｅＮＢ８３０において、図１４を参照して説明した第１制御部２５１及び／又は第２制御部２５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて第１制御部２５１及び／又は第２制御部２５３が実装されてもよい。この場合に、上記モジュールは、プロセッサを第１制御部２５１及び／又は第２制御部２５３として機能させるためのプログラム（換言すると、プロセッサに第１制御部２５１及び／又は第２制御部２５３の動作を実行させるためのプログラム）を記憶し、当該プログラムを実行してもよい。別の例として、プロセッサを第１制御部２５１及び／又は第２制御部２５３として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、第１制御部２５１及び／又は第２制御部２５３を備える装置としてｅＮＢ８３０、基地局装置８５０又は上記モジュールが提供されてもよく、プロセッサを第１制御部２５１及び／又は第２制御部２５３として機能させるためのプログラムが提供されてもよい。また、上記プログラムを記録した読み取り可能な記録媒体が提供されてもよい。
【０２６８】
また、図２５に示したｅＮＢ８３０において、例えば、図１４を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０２６９】
＜＜７．まとめ＞＞
ここまで、図１０〜図２５を参照して、本開示の実施形態に係る各装置及び各処理を説明した。
【０２７０】
（１）第１の実施形態
第１の実施形態によれば、制御エンティティ１００は、複数の無線通信システムの間で共用される周波数帯域におけるＭＢＳＦＮ送信のスケジューリング情報を取得し、当該ＭＢＳＦＮ送信のためのＭＢＳＦＮエリアに属する２つ以上の基地局２００に上記スケジューリング情報を提供する第１制御部１３１、を備える。
【０２７１】
第１の実施形態によれば、基地局２００は、基地局２００へのＭＢＳＦＮエリアの割当てを制御エンティティ１００に要求する第１制御部２５１と、複数の無線通信システムの間で共用される周波数帯域におけるＭＢＳＦＮ送信のためのスケジューリング情報であって、制御エンティティ１００により基地局２００に提供される当該スケジューリング情報を取得し、当該スケジューリング情報に従って、基地局２００による上記周波数帯域における上記ＭＢＳＦＮ送信を制御する第２制御部２５３と、を備える。
【０２７２】
これにより、例えば、複数の無線通信システムの間で共用される周波数帯域を使用してＭＢＳＦＮのサービスを提供することが可能になる。
【０２７３】
（２）第２の実施形態
第２の実施形態によれば、制御エンティティ１００は、複数の無線通信システムの間で共用される周波数帯域についての無線フレームの同期をとるためのフレーム同期情報を取得し、上記周波数帯域におけるＭＢＳＦＮ送信のためのＭＢＳＦＮエリアに属する基地局２００に上記フレーム同期情報を提供する第１制御部１３１、を備える。上記ＭＢＳＦＮエリアには、異なるセルラーシステムの基地局２００が属する。
【０２７４】
第２の実施形態によれば、基地局２００は、複数の無線通信システムの間で共用される周波数帯域についての無線フレームの同期をとるためのフレーム同期情報であって、制御エンティティ１００により提供される当該フレーム同期情報を取得し、当該フレーム同期情報に基づいて、上記周波数帯域についての無線フレームのタイミングを調整する第２制御部２５３、を備える。
【０２７５】
これにより、例えば、複数の無線通信システムの間で共用さえる周波数帯域におけるＭＢＳＦＮ送信を異なるセルラーシステムの基地局が行うことが可能になる。
【０２７６】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０２７７】
例えば、共用帯域についての無線フレームの同期をとるためのフレーム同期情報を提供する制御エンティティ（即ち、第２の実施形態に係る制御エンティティ）は、共用帯域におけるＭＢＳＦＮ送信のスケジューリング情報を提供する制御エンティティ（即ち、第１の実施形態に係る制御エンティティ）とは異なるエンティティであってもよい。例えば、上記フレーム同期情報を提供する制御エンティティは、ＭＣＥ以外のエンティティであってもよい。
【０２７８】
また、例えば、セルラーシステムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、他の通信規格に準拠したシステムであってもよい。
【０２７９】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２８０】
また、本明細書の装置（例えば、制御エンティティ若しくは制御エンティティのモジュール、又は、基地局、基地局装置若しくは基地局装置のためのモジュール）に備えられるプロセッサ（例えば、ＣＰＵ、ＤＳＰなど）を上記装置の構成要素（例えば、第１制御部及び／又は第２制御部）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、制御エンティティ若しくは制御エンティティのモジュール、又は、基地局、基地局装置若しくは基地局装置のためのモジュール）も提供されてもよい。また、上記装置の構成要素（例えば、第１制御部及び／又は第２制御部）の動作を含む方法も、本開示に係る技術に含まれる。
【０２８１】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２８２】
なお、以下のような構成も本開示の技術的範囲に属する。
（１）
複数の無線通信システムの間で共用される周波数帯域におけるＭＢＳＦＮ（MBMS（Multimedia  Broadcast  Multicast  Service）  over  Single  Frequency  Network）送信のスケジューリング情報を取得し、当該ＭＢＳＦＮ送信のためのＭＢＳＦＮエリアに属する２つ以上の基地局に前記スケジューリング情報を提供する第１制御部、
を備える装置。
（２）
基地局に前記ＭＢＳＦＮエリアを割り当てる第２制御部をさらに備える、前記（１）に記載の装置。
（３）
前記第２制御部は、前記基地局からの要求に応じて、前記基地局に前記ＭＢＳＦＮエリアを割り当てる、前記（２）に記載の装置。
（４）
前記第２制御部は、前記基地局の位置、前記基地局の周辺セル、又は前記基地局による当該周辺セルについての測定の結果に基づいて、前記基地局に前記ＭＢＳＦＮエリアを割り当てる、前記（２）又は（３）に記載の装置。
（５）
前記第２制御部は、前記基地局の希望のサービスに基づいて、前記基地局に前記ＭＢＳＦＮエリアを割り当てる、前記（２）〜（４）のいずれか１項に記載の装置。
（６）
前記第２制御部は、前記基地局が使用可能な周波数帯域に基づいて、前記基地局に前記ＭＢＳＦＮエリアを割り当てる、前記（２）〜（５）のいずれか１項に記載の装置。
（７）
前記第２制御部は、前記基地局により検出されたＭＢＳＦＮエリア、又は前記基地局によるＭＢＳＦＮエリアについての測定の結果に基づいて、前記基地局に前記ＭＢＳＦＮエリアを割り当てる、前記（２）〜（６）のいずれか１項に記載の装置。
（８）
前記スケジューリング情報は、ＭＢＳＦＮサブフレームを示す情報、及びＰＭＣＨ（Physical  Multicast  Channel）のコンフィギュレーションを示す情報を含む、前記（１）〜（７）のいずれか１項に記載の装置。
（９）
前記２つ以上の基地局は、異なるセルラーシステムの基地局を含む、前記（１）〜（８）のいずれか１項に記載の装置。
（１０）
前記第１制御部は、前記周波数帯域についての無線フレームの同期をとるためのフレーム同期情報を取得し、前記ＭＢＳＦＮエリアに属する基地局に前記フレーム同期情報を提供し、
前記ＭＢＳＦＮエリアには、異なるセルラーシステムの基地局が属する、
前記（１）〜（９）のいずれか１項に記載の装置。
（１１）
前記フレーム同期情報は、前記周波数帯域についての無線フレームのタイミングを示す情報であり、
前記第１制御部は、前記ＭＢＳＦＮエリアに属する２つ以上の基地局に前記フレーム同期情報を提供する、
前記（１０）に記載の装置。
（１２）
前記第１制御部は、前記２つ以上の基地局の各々とのクロック補正処理を行う、前記（１１）に記載の装置。
（１３）
前記フレーム同期情報は、前記ＭＢＳＦＮエリアに属する２つ以上の基地局のうちの前記同期の基準となる基地局を示す情報である、前記（１０）に記載の装置。
（１４）
基地局へのＭＢＳＦＮエリアの割当てを制御エンティティに要求する第１制御部と、
複数の無線通信システムの間で共用される周波数帯域におけるＭＢＳＦＮ送信のためのスケジューリング情報であって、前記制御エンティティにより前記基地局に提供される当該スケジューリング情報を取得し、当該スケジューリング情報に従って、前記基地局による前記周波数帯域における前記ＭＢＳＦＮ送信を制御する第２制御部と、
を備える装置。
（１５）
前記第１制御部は、前記基地局の位置、前記基地局の周辺セル、前記基地局による当該周辺セルについての測定の結果、前記基地局の希望のサービス、前記基地局が使用可能な周波数帯域、前記基地局により検出されたＭＢＳＦＮエリア、又は前記基地局によるＭＢＳＦＮエリアについての測定の結果を、前記制御エンティティに通知する、前記（１４）に記載の装置。
（１６）
前記第２制御部は、前記基地局が前記周波数帯域を使用しないサブフレームを報知する、前記（１４）又は（１５）に記載の装置。
（１７）
前記第２制御部は、前記周波数帯域についての無線フレームの同期をとるためのフレーム同期情報であって、前記制御エンティティにより提供される当該フレーム同期情報を取得し、当該フレーム同期情報に基づいて、前記周波数帯域についての無線フレームのタイミングを調整する、前記（１４）〜（１６）のいずれか１項に記載の装置。
（１８）
前記フレーム同期情報は、前記周波数帯域についての無線フレームのタイミングを示す情報である、前記（１７）に記載の装置。
（１９）
前記第２制御部は、前記制御エンティティとのクロック補正処理の結果にさらに基づいて、前記周波数帯域についての無線フレームの前記タイミングを調整する、前記（１８）に記載の装置。
（２０）
前記第２制御部は、ＧＰＳ（Global  Positioning  System）受信機から得られる時刻情報にさらに基づいて、前記周波数帯域についての無線フレームの前記タイミングを調整する、前記（１８）に記載の装置。
（２１）
前記フレーム同期情報は、前記周波数帯域におけるＭＢＳＦＮ送信のためのＭＢＳＦＮエリアに属する２つ以上の基地局のうちの前記同期の基準となる基地局を示す情報であり、
前記第２制御部は、前記同期の基準となる前記基地局により前記周波数帯域において送信される同期信号を用いて、前記周波数帯域についての無線フレームの前記タイミングを調整する、
前記（１７）に記載の装置。
（２２）
前記周波数帯域についての無線フレームのタイミングは、前記基地局を含むセルラーシステム用の周波数帯域についての無線フレームのタイミングとは異なる、前記（１４）〜（２１）のいずれか１項に記載の装置。
（２３）
プロセッサにより、
複数の無線通信システムの間で共用される周波数帯域におけるＭＢＳＦＮ送信のスケジューリング情報を取得することと、
前記ＭＢＳＦＮ送信のためのＭＢＳＦＮエリアに属する２つ以上の基地局に前記スケジューリング情報を提供することと、
を含む方法。
（２４）
複数の無線通信システムの間で共用される周波数帯域におけるＭＢＳＦＮ送信のスケジューリング情報を取得することと、
前記ＭＢＳＦＮ送信のためのＭＢＳＦＮエリアに属する２つ以上の基地局に前記スケジューリング情報を提供することと、
をプロセッサに実行させるためのプログラム。
（２５）
複数の無線通信システムの間で共用される周波数帯域におけるＭＢＳＦＮ送信のスケジューリング情報を取得することと、
前記ＭＢＳＦＮ送信のためのＭＢＳＦＮエリアに属する２つ以上の基地局に前記スケジューリング情報を提供することと、
をプロセッサに実行させるためのプログラムを記録した読み取り可能な記録媒体。
（２６）
プロセッサにより、
基地局へのＭＢＳＦＮエリアの割当てを制御エンティティに要求することと、
複数の無線通信システムの間で共用される周波数帯域におけるＭＢＳＦＮ送信のためのスケジューリング情報であって、前記制御エンティティにより前記基地局に提供される当該スケジューリング情報を取得することと、
前記スケジューリング情報に従って、前記基地局による前記周波数帯域における前記ＭＢＳＦＮ送信を制御することと、
を含む方法。
（２７）
基地局へのＭＢＳＦＮエリアの割当てを制御エンティティに要求することと、
複数の無線通信システムの間で共用される周波数帯域におけるＭＢＳＦＮ送信のためのスケジューリング情報であって、前記制御エンティティにより前記基地局に提供される当該スケジューリング情報を取得することと、
前記スケジューリング情報に従って、前記基地局による前記周波数帯域における前記ＭＢＳＦＮ送信を制御することと、
をプロセッサに実行させるためのプログラム。
（２８）
基地局へのＭＢＳＦＮエリアの割当てを制御エンティティに要求することと、
複数の無線通信システムの間で共用される周波数帯域におけるＭＢＳＦＮ送信のためのスケジューリング情報であって、前記制御エンティティにより前記基地局に提供される当該スケジューリング情報を取得することと、
前記スケジューリング情報に従って、前記基地局による前記周波数帯域における前記ＭＢＳＦＮ送信を制御することと、
をプロセッサに実行させるためのプログラムを記録した読み取り可能な記録媒体。
（２９）
複数の無線通信システムの間で共用される周波数帯域についての無線フレームの同期をとるためのフレーム同期情報を取得し、前記周波数帯域におけるＭＢＳＦＮ送信のためのＭＢＳＦＮエリアに属する基地局に前記フレーム同期情報を提供する第１制御部、
を備え、
前記ＭＢＳＦＮエリアには、異なるセルラーシステムの基地局が属する、
装置。
（３０）
プロセッサにより、
複数の無線通信システムの間で共用される周波数帯域についての無線フレームの同期をとるためのフレーム同期情報を取得することと、
前記周波数帯域におけるＭＢＳＦＮ送信のためのＭＢＳＦＮエリアに属する基地局に前記フレーム同期情報を提供することと、
を含み、
前記ＭＢＳＦＮエリアには、異なるセルラーシステムの基地局が属する、
方法。
（３１）
複数の無線通信システムの間で共用される周波数帯域についての無線フレームの同期をとるためのフレーム同期情報を取得することと、
前記周波数帯域におけるＭＢＳＦＮ送信のためのＭＢＳＦＮエリアに属する基地局に前記フレーム同期情報を提供することと、
をプロセッサに実行させるためのプログラムであり、
前記ＭＢＳＦＮエリアには、異なるセルラーシステムの基地局が属する、
プログラム。
（３２）
複数の無線通信システムの間で共用される周波数帯域についての無線フレームの同期をとるためのフレーム同期情報を取得することと、
前記周波数帯域におけるＭＢＳＦＮ送信のためのＭＢＳＦＮエリアに属する基地局に前記フレーム同期情報を提供することと、
をプロセッサに実行させるためのプログラムを記録した読み取り可能な記録媒体であり、
前記ＭＢＳＦＮエリアには、異なるセルラーシステムの基地局が属する、
記録媒体。
（３３）
複数の無線通信システムの間で共用される周波数帯域についての無線フレームの同期をとるためのフレーム同期情報であって、制御エンティティにより提供される当該フレーム同期情報を取得し、当該フレーム同期情報に基づいて、前記周波数帯域についての無線フレームのタイミングを調整する第２制御部、
を備える装置。
（３４）
プロセッサにより、
複数の無線通信システムの間で共用される周波数帯域についての無線フレームの同期をとるためのフレーム同期情報であって、制御エンティティにより提供される当該フレーム同期情報を取得することと、
前記フレーム同期情報に基づいて、前記周波数帯域についての無線フレームのタイミングを調整することと、
を含む方法。
（３５）
複数の無線通信システムの間で共用される周波数帯域についての無線フレームの同期をとるためのフレーム同期情報であって、制御エンティティにより提供される当該フレーム同期情報を取得することと、
前記フレーム同期情報に基づいて、前記周波数帯域についての無線フレームのタイミングを調整することと、
をプロセッサに実行させるためのプログラム。
（３６）
複数の無線通信システムの間で共用される周波数帯域についての無線フレームの同期をとるためのフレーム同期情報であって、制御エンティティにより提供される当該フレーム同期情報を取得することと、
前記フレーム同期情報に基づいて、前記周波数帯域についての無線フレームのタイミングを調整することと、
をプロセッサに実行させるためのプログラムを記録した読み取り可能な記録媒体。
（３７）
前記装置は、前記基地局、前記基地局のための基地局装置、又は当該基地局装置のためのモジュールである、前記（１４）〜（２１）のいずれか１項に記載の装置。
【符号の説明】
【０２８３】
１        システム
２０      セル
３０      端末装置
４０      ＭＢＳＦＮエリア
５０      基地局
５１      マクロセル
１００    制御エンティティ
１３１    第１制御部
１３３    第２制御部
２００    基地局
２５１    第１制御部
２５３    第２制御部
【図１】
0006575525.tif 000002
【図２】
0006575525.tif 000003
【図３】
0006575525.tif 000004
【図４】
0006575525.tif 000005
【図５】
0006575525.tif 000006
【図６】
0006575525.tif 000007
【図７】
0006575525.tif 000008
【図８】
0006575525.tif 000009
【図９】
0006575525.tif 000010
【図１０】
0006575525.tif 000011
【図１１】
0006575525.tif 000012
【図１２】
0006575525.tif 000013
【図１３】
0006575525.tif 000014
【図１４】
0006575525.tif 000015
【図１５】
0006575525.tif 000016
【図１６】
0006575525.tif 000017
【図１７】
0006575525.tif 000018
【図１８】
0006575525.tif 000019
【図１９】
0006575525.tif 000020
【図２０】
0006575525.tif 000021
【図２１】
0006575525.tif 000022
【図２２】
0006575525.tif 000023
【図２３】
0006575525.tif 000024
【図２４】
0006575525.tif 000025
【図２５】
0006575525.tif 000026